(57)【要約】【課題】広告媒体から広告情報などを簡単な操作により携帯電話などの情報端末に配信する仕組みと、広告媒体の客観的評価をおこない広告主が求める広告効率と広告効果を把握できる仕組みを提供すること。【解決手段】購買者となる受信者が広告情報を受信するための通信端末１と、その受信者に広告情報を提供する情報提供装置２と、広告情報を配信する広告情報配信装置４と、通信端末１からの問い合わせにより情報提供装置２と広告情報を配信している広告情報配信装置４を特定し通信端末１への配信指示サービスを提供する広告情報配信支援装置３とを備え、情報提供装置２と広告情報を関連付ける広告接続先情報を通信端末１が取得できる広告接続先情報配信要求Ｓ１とする取得手段と、その広告接続先情報を基に通信端末１へ広告情報配信装置４からの配信を可能とする広告情報配信要求Ｓ３とする取得手段とを備えた広告情報配信支援システムとすること。【選択図】　図１
2004077863.tif 000002
【特許請求の範囲】
【請求項１】
受信者が広告情報を受信するための通信端末と、上記広告情報を提供する情報提供装置と、上記広告情報またはその広告情報と関係する情報を管理する広告情報配信支援装置と、上記広告情報を配信する広告情報配信装置とを備え、
上記広告情報に関連する広告接続先情報を送信可能に保持する広告接続先情報保持手段と、
１つ以上の上記広告接続先情報を取得するための広告接続先情報配信要求を、上記情報提供装置に送信する広告接続先情報配信要求送信手段と、
上記通信端末からの上記広告接続先情報配信要求に基づいて、１つ以上の上記広告接続先情報を取得する広告接続先情報取得手段と、
取得した上記広告接続先情報を、上記通信端末に送信する広告接続先情報配信送信手段と、を備えることを特徴とする広告情報配信支援システム。
【請求項２】
前記広告接続先情報は、前記広告情報に含まれるものとし、
前記広告接続先情報保持手段は、前記広告接続先情報を取り出して、これを前記広告情報と別個に保持することを特徴とする請求項１記載の広告情報配信支援システム。
【請求項３】
前記広告接続先情報取得手段は、前記広告情報を提供している時間を含む所定時間内に、前記広告接続先情報配信要求を受信したことを条件に、前記広告接続先情報の取得を可能とすることを特徴とする請求項１または２記載の広告情報配信支援システム。
【請求項４】
前記広告情報を保持する広告情報保持手段と、
１つ以上の前記広告接続先情報に関連する広告情報を取得するための広告情報配信要求を上記広告情報配信支援装置に送信する広告情報配信要求送信手段と、上記広告情報配信要求に関連する広告情報を取得する広告情報取得手段と、
取得した広告情報を前記通信端末に送信する広告情報配信送信手段と、
を、さらに備えることを特徴とする請求項１から３のいずれか１項記載の広告情報配信支援システム。
【請求項５】
前記広告情報を保持する広告情報保持手段と、
１つ以上の前記広告接続先情報に関連する広告情報を取得するための広告情報配信要求を上記広告情報配信支援装置に送信する広告情報配信要求送信手段と、上記広告情報配信要求に関連する広告情報配信装置を取得する広告情報配信装置特定手段と、
特定した広告情報配信装置に上記広告情報の配信指示を送信する広告情報配信指示送信手段と、
上記広告情報配信指示に関係する広告情報を取得する広告情報取得手段と、
取得した広告情報を前記通信端末に送信する広告情報配信送信手段と、
を、さらに備えることを特徴とする請求項１から４のいずれか１項記載の広告情報配信支援システム。
【請求項６】
前記広告接続先情報は、前記広告情報に接続可能な接続情報であることを特徴とする請求項１から５のいずれか１項記載の広告情報配信支援システム。
【請求項７】
前記広告接続先情報は、ホームページに接続可能なＵＲＬを含む情報であることを特徴とする請求項６記載の広告情報配信支援システム。
【請求項８】
前記ＵＲＬは、前記ＵＲＬに情報提供装置識別子または広告識別子を付加すること、またはその両方の識別子付きで前記広告情報配信装置への接続が可能であることを特徴とする請求項７記載の広告情報配信支援システム。
【請求項９】
前記広告接続先情報配信送信手段は、前記情報提供装置で配信履歴として記録され、前記広告情報配信支援装置からの広告接続先情報配信履歴取得手段よって取得することを特徴とする請求項１から６のいずれか１項記載の広告情報配信支援システム。
【請求項１０】
前記広告情報配信支援装置は、少なくとも前記広告接続先情報配信履歴を含むデータベースを保存することを特徴とする請求項９記載の広告情報配信支援システム。
【請求項１１】
前記広告情報配信支援装置は、少なくとも前記広告接続先情報配信履歴を含むデータベースを保存した履歴データを解析して、それぞれの情報提供装置の市場価値を評価し、情報公開することを特徴とする請求項９記載の広告情報配信支援システム。
【請求項１２】
前記広告情報配信送信手段は、前記情報提供装置が提供する広告情報と同期するための同期情報を、前記通信端末に、前記広告情報と合わせて送信にすることができる同期情報取得手段と、を、さらに備えることを特徴とする請求項１から６のいずれか１項記載の広告情報配信支援システム。
【請求項１３】
前記同期情報取得手段は、前記広告情報配信送信手段とは別に、前記情報提供装置が提供する広告情報と同期するための同期情報を、少なくとも前記広告情報配信支援装置および前記情報提供装置のいずれか１つから取得することを特徴とする請求項１から６のいずれか１項記載の広告情報配信支援システム。
【請求項１４】
前記広告情報の再生時間を、前記同期情報を使用して管理することを特徴とする請求項１から６のいずれか１項記載の広告情報配信支援システム。
【請求項１５】
受信者が広告情報を受信するための通信端末と、上記広告情報を提供する情報提供装置と、上記広告情報またはその広告情報と関係する情報を管理する広告情報配信支援装置と、上記広告情報を配信する広告情報配信装置とを備え、
上記情報提供装置は、提供装置に固有の識別子を受信者に知らしめることを可能とし、
上記広告情報に関連する広告接続先情報を送信可能に保持する広告接続先情報保持手段と、
１つ以上の上記広告接続先情報を取得するための広告接続先情報配信要求を、上記広告情報配信支援装置に少なくとも上記情報提供装置の識別子である情報提供装置識別子付きで送信する広告接続先情報配信要求送信手段と、
上記通信端末からの上記広告接続先情報配信要求に基づいて、１つ以上の上記広告接続先情報を取得する広告接続先情報取得手段と、
取得した上記広告接続先情報を、上記通信端末に送信する広告接続先情報配信送信手段と、を備えることを特徴とする広告情報配信支援システム。
【請求項１６】
前記広告接続先情報は、前記広告情報に含まれるものとし、
前記広告接続先情報保持手段は、前記広告接続先情報を取り出して、これを前記広告情報と別個に保持することを特徴とする請求項１５記載の広告情報配信支援システム。
【請求項１７】
前記広告接続先情報取得手段は、前記広告情報を提供している時間を含む所定時間内に、前記広告接続先情報配信要求を受信したことを条件に、前記広告接続先情報の取得を可能とすることを特徴とする請求項１５または１６記載の広告情報配信支援システム。
【請求項１８】
前記広告情報を保持する広告情報保持手段と、
１つ以上の前記広告接続先情報に関連する広告情報を取得するための広告情報配信要求を上記広告情報配信支援装置に送信する広告情報配信要求送信手段と、
上記広告情報配信要求に関連する広告情報を取得する広告情報取得手段と、
取得した広告情報を前記通信端末に送信する広告情報配信送信手段と、
を、さらに備えることを特徴とする請求項１５から１７のいずれか１項記載の広告情報配信支援システム。
【請求項１９】
前記広告情報を保持する広告情報保持手段と、
１つ以上の前記広告接続先情報に関連する広告情報を取得するための広告情報配信要求を上記広告情報配信支援装置に送信する広告情報配信要求送信手段と、上記広告情報配信要求に関連する広告情報配信装置を取得する広告情報配信装置特定手段と、
特定した広告情報配信装置に上記広告情報の配信指示を送信する広告情報配信指示送信手段と、
上記広告情報配信指示に関係する広告情報を取得する広告情報取得手段と、
取得した広告情報を前記通信端末に送信する広告情報配信送信手段と、
を、さらに備えることを特徴とする請求項１５から１８のいずれか１項記載の広告情報配信支援システム。
【請求項２０】
前記広告接続先情報は、前記広告情報に接続可能な接続情報であることを特徴とする請求項１５から１９のいずれか１項記載の広告情報配信支援システム。
【請求項２１】
前記広告接続先情報は、ホームページに接続可能なＵＲＬを含む情報であることを特徴とする請求項２０記載の広告情報配信支援システム。
【請求項２２】
前記広告接続先情報配信送信手段は、前記情報提供装置で配信履歴として記録され、前記広告情報配信支援装置からの広告接続先情報配信履歴取得手段よって取得することを特徴とする請求項１５から２０のいずれか１項記載の広告情報配信支援システム。
【請求項２３】
前記広告情報配信支援装置は、少なくとも前記広告接続先情報配信履歴を含むデータベースを保存することを特徴とする請求項２２記載の広告情報配信支援システム。
【請求項２４】
前記広告情報配信支援装置は、少なくとも前記広告接続先情報配信履歴を含むデータベースを保存した履歴データを解析して、それぞれの情報提供装置の市場価値を評価し、情報公開することを特徴とする請求項２２記載の広告情報配信支援システム。
【請求項２５】
前記広告情報配信送信手段は、前記情報提供装置が提供する広告情報と同期するための同期情報を、前記通信端末に、前記広告情報と合わせて送信にすることができる同期情報取得手段と、を、さらに備えることを特徴とする請求項１５から２０のいずれか１項記載の広告情報配信支援システム。
【請求項２６】
前記同期情報取得手段は、前記広告情報配信送信手段とは別に、前記情報提供装置が提供する広告情報と同期するための同期情報を、前記広告情報配信支援装置から取得することを特徴とする請求項１５から２０のいずれか１項記載の広告情報配信支援システム。
【請求項２７】
前記広告情報の再生時間を、前記同期情報を使用して管理することを特徴とする請求項１５から２０のいずれか１項記載の広告情報配信支援システム。
【請求項２８】
受信者が広告情報を受信するための通信端末と、上記広告情報を提供する情報提供装置と、上記広告情報またはその広告情報と関係する情報を管理する広告情報配信支援装置と、上記通信端末のアドレス情報から位置情報を取得する位置情報取得装置と、上記広告情報を配信する広告情報配信装置とを備え、
上記位置情報取得装置は、上記広告情報配信支援装置からの通信端末のアドレス情報を基に位置情報の検出と、検出した位置情報を上記広告情報配信支援装置への送信を可能とし、
上記広告情報配信支援装置は、少なくとも１つ以上の上記情報提供装置の位置情報を管理しているとし、
上記広告情報に関連する広告接続先情報を送信可能に保持する広告接続先情報保持手段と、
１つ以上の上記広告接続先情報を取得するための広告接続先情報配信要求を、上記広告情報配信支援装置に少なくとも上記通信端末のアドレス情報付きで送信する広告接続先情報配信要求送信手段と、
上記通信端末からの上記広告接続先情報配信要求に基づいて、上記アドレス情報を上記位置情報取得装置に送信する位置情報取得要求手段と、
上記位置情報取得装置で上記アドレス情報より検出した位置情報を取得する位置情報取得手段と、
取得した位置情報を基に、１つ以上の（最も近い）上記情報提供装置を特定する情報提供装置特定手段と、
特定した情報提供装置が提供している１つ以上の上記広告情報を特定する広告情報特定手段と、
上記通信端末からの上記広告接続先情報配信要求に基づいて、特定した上記広告情報から関係する１つ以上の上記広告接続先情報を取得する広告接続先情報取得手段と、
取得した上記広告接続先情報を、上記通信端末に送信する広告接続先情報配信送信手段と、を備えることを特徴とする広告情報配信支援システム。
【請求項２９】
前記広告接続先情報は、前記広告情報に含まれるものとし、
前記広告接続先情報保持手段は、前記広告接続先情報を取り出して、これを前記広告情報と別個に保持することを特徴とする請求項２８記載の広告情報配信支援システム。
【請求項３０】
前記広告接続先情報取得手段は、前記広告情報を提供している時間を含む所定時間内に、前記広告接続先情報配信要求を受信したことを条件に、前記広告接続先情報の取得を可能とすることを特徴とする請求項２８または２９記載の広告情報配信支援システム。
【請求項３１】
前記広告情報を保持する広告情報保持手段と、
１つ以上の前記広告接続先情報に関連する広告情報を取得するための広告情報配信要求を上記広告情報配信支援装置に送信する広告情報配信要求送信手段と、
上記広告情報配信要求に関連する広告情報を取得する広告情報取得手段と、
取得した広告情報を前記通信端末に送信する広告情報配信送信手段と、
を、さらに備えることを特徴とする請求項２８から３０のいずれか１項記載の広告情報配信支援システム。
【請求項３２】
前記広告情報を保持する広告情報保持手段と、
１つ以上の前記広告接続先情報に関連する広告情報を取得するための広告情報配信要求を上記広告情報配信支援装置に送信する広告情報配信要求送信手段と、上記広告情報配信要求に関連する広告情報配信装置を取得する広告情報配信装置特定手段と、
特定した広告情報配信装置に上記広告情報の配信指示を送信する広告情報配信指示送信手段と、
上記広告情報配信指示に関係する広告情報を取得する広告情報取得手段と、
取得した広告情報を前記通信端末に送信する広告情報配信送信手段と、
を、さらに備えることを特徴とする請求項２８から３１のいずれか１項記載の広告情報配信支援システム。
【請求項３３】
前記広告接続先情報は、前記広告情報に接続可能な接続情報であることを特徴とする請求項２８から３２のいずれか１項記載の広告情報配信支援システム。
【請求項３４】
前記広告接続先情報は、ホームページに接続可能なＵＲＬを含む情報であることを特徴とする請求項３３記載の広告情報配信支援システム。
【請求項３５】
前記広告接続先情報配信送信手段は、前記広告情報配信支援装置で配信履歴として記録されることを特徴とする請求項２８から３３のいずれか１項記載の広告情報配信支援システム。
【請求項３６】
前記広告情報配信支援装置は、少なくとも前記広告接続先情報配信履歴を含むデータベースを保存することを特徴とする請求項３５記載の広告情報配信支援システム。
【請求項３７】
前記広告情報配信支援装置は、少なくとも前記広告接続先情報配信履歴を含むデータベースを保存した履歴データを解析して、それぞれの情報提供装置の市場価値を評価し、情報公開することを特徴とする請求項３５記載の広告情報配信支援システム。
【請求項３８】
前記広告情報配信送信手段は、前記情報提供装置が提供する広告情報と同期するための同期情報を、前記通信端末に、前記広告情報と合わせて送信にすることができる同期情報取得手段と、を、さらに備えることを特徴とする請求項２８から３３のいずれか１項記載の広告情報配信支援システム。
【請求項３９】
前記同期情報取得手段は、前記広告情報配信送信手段とは別に、前記情報提供装置が提供する広告情報と同期するための同期情報を、前記広告情報配信支援装置から取得することを特徴とする請求項２８から３３のいずれか１項記載の広告情報配信支援システム。
【請求項４０】
前記広告情報の再生時間を、前記同期情報を使用して管理することを特徴とする請求項２８から３３のいずれか１項記載の広告情報配信支援システム。
【請求項４１】
受信者が広告情報を受信するための通信端末と、上記広告情報を提供する情報提供装置と、上記広告情報またはその広告情報と関係する情報を管理する広告情報配信支援装置と、上記広告情報を配信する広告情報配信装置とを備え、
上記通信端末は、端末自身の位置情報の取得を可能とし、
上記広告情報配信支援装置は、少なくとも１つ以上の上記情報提供装置の位置情報を管理しているとし、
上記広告情報に関連する広告接続先情報を送信可能に保持する広告接続先情報保持手段と、
１つ以上の上記広告接続先情報を取得するための広告接続先情報配信要求を、上記広告情報配信支援装置に少なくとも上記位置情報付きで送信する広告接続先情報配信要求送信手段と、
上記通信端末からの上記広告接続先情報配信要求に基づいて、１つ以上の（最も近い）上記情報提供装置を特定する情報提供装置特定手段と、
特定した情報提供装置が提供している１つ以上の上記広告情報を特定する広告情報特定手段と、
上記通信端末からの上記広告接続先情報配信要求に基づいて、特定した上記広告情報から関係する１つ以上の上記広告接続先情報を取得する広告接続先情報取得手段と、
取得した上記広告接続先情報を、上記通信端末に送信する広告接続先情報配信送信手段と、を備えることを特徴とする広告情報配信支援システム。
【請求項４２】
前記広告接続先情報は、前記広告情報に含まれるものとし、
前記広告接続先情報保持手段は、前記広告接続先情報を取り出して、これを前記広告情報と別個に保持することを特徴とする請求項４１記載の広告情報配信支援システム。
【請求項４３】
前記広告接続先情報取得手段は、前記広告情報を提供している時間を含む所定時間内に、前記広告接続先情報配信要求を受信したことを条件に、前記広告接続先情報の取得を可能とすることを特徴とする請求項４１または４２記載の広告情報配信支援システム。
【請求項４４】
前記広告情報を保持する広告情報保持手段と、
１つ以上の前記広告接続先情報に関連する広告情報を取得するための広告情報配信要求を上記広告情報配信支援装置に送信する広告情報配信要求送信手段と、
上記広告情報配信要求に関連する広告情報を取得する広告情報取得手段と、
取得した広告情報を前記通信端末に送信する広告情報配信送信手段と、
を、さらに備えることを特徴とする請求項４１から４３のいずれか１項記載の広告情報配信支援システム。
【請求項４５】
前記広告情報を保持する広告情報保持手段と、
１つ以上の前記広告接続先情報に関連する広告情報を取得するための広告情報配信要求を上記広告情報配信支援装置に送信する広告情報配信要求送信手段と、上記広告情報配信要求に関連する広告情報配信装置を取得する広告情報配信装置特定手段と、
特定した広告情報配信装置に上記広告情報の配信指示を送信する広告情報配信指示送信手段と、
上記広告情報配信指示に関係する広告情報を取得する広告情報取得手段と、
取得した広告情報を前記通信端末に送信する広告情報配信送信手段と、
を、さらに備えることを特徴とする請求項４１から４４のいずれか１項記載の広告情報配信支援システム。
【請求項４６】
前記広告接続先情報は、前記広告情報に接続可能な接続情報であることを特徴とする請求項４１から４５のいずれか１項記載の広告情報配信支援システム。
【請求項４７】
前記広告接続先情報は、ホームページに接続可能なＵＲＬを含む情報であることを特徴とする請求項４６記載の広告情報配信支援システム。
【請求項４８】
前記広告接続先情報配信送信手段は、前記広告情報配信支援装置で配信履歴として記録されることを特徴とする請求項４１から４６のいずれか１項記載の広告情報配信支援システム。
【請求項４９】
前記広告情報配信支援装置は、少なくとも前記広告接続先情報配信履歴を含むデータベースを保存することを特徴とする請求項４８記載の広告情報配信支援システム。
【請求項５０】
前記広告情報配信支援装置は、少なくとも前記広告接続先情報配信履歴を含むデータベースを保存した履歴データを解析して、それぞれの情報提供装置の市場価値を評価し、情報公開することを特徴とする請求項４８記載の広告情報配信支援システム。
【請求項５１】
前記広告情報配信送信手段は、前記情報提供装置が提供する広告情報と同期するための同期情報を、前記通信端末に、前記広告情報と合わせて送信にすることができる同期情報取得手段と、を、さらに備えることを特徴とする請求項４１から４６のいずれか１項記載の広告情報配信支援システム。
【請求項５２】
前記同期情報取得手段は、前記広告情報配信送信手段とは別に、前記情報提供装置が提供する広告情報と同期するための同期情報を、前記広告情報配信支援装置から取得することを特徴とする請求項４１から４６のいずれか１項記載の広告情報配信支援システム。
【請求項５３】
前記広告情報の再生時間を、前記同期情報を使用して管理することを特徴とする請求項４１から４６のいずれか１項記載の広告情報配信支援システム。
【請求項５４】
受信者が広告情報を受信するための通信端末と、上記広告情報を提供する情報提供装置と、上記広告情報またはその広告情報と関係する情報を管理する広告情報配信支援装置と、上記広告情報を配信する広告情報配信装置とを備え、
上記広告情報に関連する広告接続先情報を送信可能に保持する広告接続先情報保持手段と、
１つ以上の上記広告接続先情報を取得するための広告接続先情報配信要求を、上記情報提供装置に送信する広告接続先情報配信要求送信手段と、
上記通信端末からの上記広告接続先情報配信要求に基づいて、１つ以上の上記広告接続先情報を取得する広告接続先情報取得手段と、を備えることを特徴とする広告情報配信支援システム。
【請求項５５】
前記広告接続先情報は、前記広告情報に含まれるものとし、
前記広告接続先情報保持手段は、前記広告接続先情報を取り出して、これを前記広告情報と別個に保持することを特徴とする請求項５４記載の広告情報配信支援システム。
【請求項５６】
前記広告接続先情報取得手段は、前記広告情報を提供している時間を含む所定時間内に、前記広告接続先情報配信要求を受信したことを条件に、前記広告接続先情報の取得を可能とすることを特徴とする請求項５４または５５記載の広告情報配信支援システム。
【請求項５７】
前記広告情報を保持する広告情報保持手段と、
前記情報提供装置からの１つ以上の前記広告接続先情報に関連する広告情報を取得するための広告情報配信要求を上記広告情報配信支援装置に送信する広告情報配信要求送信手段と、
上記広告情報配信要求に関連する広告情報を取得する広告情報取得手段と、
取得した広告情報を前記通信端末に送信する広告情報配信送信手段と、
を、さらに備えることを特徴とする請求項５４から５６のいずれか１項記載の広告情報配信支援システム。
【請求項５８】
前記広告情報を保持する広告情報保持手段と、
前記情報提供装置からの１つ以上の前記広告接続先情報に関連する広告情報を取得するための広告情報配信要求を上記広告情報配信支援装置に送信する広告情報配信要求送信手段と、
上記広告情報配信要求に関連する広告情報配信装置を取得する広告情報配信装置特定手段と、
特定した広告情報配信装置に上記広告情報の配信指示を送信する広告情報配信指示送信手段と、
上記広告情報配信指示に関係する広告情報を取得する広告情報取得手段と、
取得した広告情報を前記通信端末に送信する広告情報配信送信手段と、
を、さらに備えることを特徴とする請求項５４から５７のいずれか１項記載の広告情報配信支援システム。
【請求項５９】
前記広告接続先情報配信送信手段は、前記情報提供装置で配信履歴として記録され、前記広告情報配信支援装置からの広告接続先情報配信履歴取得手段よって取得することを特徴とする請求項５４から５８のいずれか１項記載の広告情報配信支援システム。
【請求項６０】
前記広告情報配信支援装置は、少なくとも前記広告接続先情報配信履歴を含むデータベースを保存することを特徴とする請求項５９記載の広告情報配信支援システム。
【請求項６１】
前記広告情報配信支援装置は、少なくとも前記広告接続先情報配信履歴を含むデータベースを保存した履歴データを解析して、それぞれの情報提供装置の市場価値を評価し、情報公開することを特徴とする請求項５９記載の広告情報配信支援システム。
【請求項６２】
前記広告情報配信送信手段は、前記情報提供装置が提供する広告情報と同期するための同期情報を、前記通信端末に、前記広告情報と合わせて送信にすることができる同期情報取得手段と、を、さらに備えることを特徴とする請求項５４から５８のいずれか１項記載の広告情報配信支援システム。
【請求項６３】
前記同期情報取得手段は、前記広告情報配信送信手段とは別に、前記情報提供装置が提供する広告情報と同期するための同期情報を、少なくとも前記広告情報配信支援装置および前記情報提供装置のいずれか１つから取得することを特徴とする請求項５４から５８のいずれか１項記載の広告情報配信支援システム。
【請求項６４】
前記広告情報の再生時間を、前記同期情報を使用して管理することを特徴とする請求項５４から５８のいずれか１項記載の広告情報配信支援システム。
【請求項６５】
受信者が広告情報を受信するための通信端末と、上記広告情報を提供する情報提供装置と、上記広告情報またはその広告情報と関係する情報を管理する広告情報配信支援装置とを備え、
上記広告情報に関連する広告接続先情報を送信可能に保持する広告接続先情報保持手段と、
１つ以上の上記広告接続先情報を取得するための広告接続先情報配信要求を、上記情報提供装置に送信する広告接続先情報配信要求送信手段と、
上記通信端末からの上記広告接続先情報配信要求に基づいて、１つ以上の上記広告接続先情報を取得する広告接続先情報取得手段と、
取得した上記広告接続先情報を、上記通信端末に送信する広告接続先情報配信送信手段と、を備えることを特徴とする広告情報配信支援システム。
【請求項６６】
前記広告接続先情報は、前記広告情報に含まれるものとし、
前記広告接続先情報保持手段は、前記広告接続先情報を取り出して、これを前記広告情報と別個に保持することを特徴とする請求項６５記載の広告情報配信支援システム。
【請求項６７】
前記広告接続先情報取得手段は、前記広告情報を提供している時間を含む所定時間内に、前記広告接続先情報配信要求を受信したことを条件に、前記広告接続先情報の取得を可能とすることを特徴とする請求項６５または６６記載の広告情報配信支援システム。
【請求項６８】
前記広告情報を保持する広告情報保持手段と、
１つ以上の前記広告接続先情報に関連する広告情報を取得するための広告情報配信要求を上記情報提供装置に送信する広告情報配信要求送信手段と、
上記広告情報配信要求に関連する広告情報を取得する広告情報取得手段と、
取得した広告情報を前記通信端末に送信する広告情報配信送信手段と、
を、さらに備えることを特徴とする請求項６５から６７のいずれか１項記載の広告情報配信支援システム。
【請求項６９】
前記広告接続先情報は、前記広告情報に接続可能な接続情報であることを特徴とする請求項６５から６８のいずれか１項記載の広告情報配信支援システム。
【請求項７０】
前記広告接続先情報は、ホームページに接続可能なＵＲＬを含む情報であることを特徴とする請求項６９記載の広告情報配信支援システム。
【請求項７１】
前記広告接続先情報配信送信手段は、前記情報提供装置で配信履歴として記録され、前記広告情報配信支援装置からの広告接続先情報配信履歴取得手段よって取得することを特徴とする請求項６５から６９のいずれか１項記載の広告情報配信支援システム。
【請求項７２】
前記広告情報配信支援装置は、少なくとも前記広告接続先情報配信履歴を含むデータベースを保存することを特徴とする請求項７１記載の広告情報配信支援システム。
【請求項７３】
前記広告情報配信支援装置は、少なくとも前記広告接続先情報配信履歴を含むデータベースを保存した履歴データを解析して、それぞれの情報提供装置の市場価値を評価し、情報公開することを特徴とする請求項７１記載の広告情報配信支援システム。
【請求項７４】
前記広告情報配信送信手段は、前記情報提供装置が提供する広告情報と同期するための同期情報を、前記通信端末に、前記広告情報と合わせて送信にすることができる同期情報取得手段と、を、さらに備えることを特徴とする請求項６５から６９のいずれか１項記載の広告情報配信支援システム。
【請求項７５】
前記同期情報取得手段は、前記広告情報配信送信手段とは別に、前記情報提供装置が提供する広告情報と同期するための同期情報を、前記情報提供装置から取得することを特徴とする請求項６５から６９のいずれか１項記載の広告情報配信支援システム。
【請求項７６】
前記広告情報の再生時間を、前記同期情報を使用して管理することを特徴とする請求項６５から６９のいずれか１項記載の広告情報配信支援システム。
【発明の詳細な説明】
【０００１】
【発明の属する技術分野】
本発明は、通信端末を用いて広告情報配信支援装置を介して広告接続先情報またはそれに関連する広告情報を入手可能な広告情報配信支援システムに関する。
【０００２】
【従来の技術】
従来から、広告看板、中吊り広告あるいは広告ポスターは、静的な広告媒体または情報媒体として広く用いられてきた。また、より多くの広告情報を提供できる動的な広告媒体または情報媒体として、動画、テキスト、音声あるいはこれらの任意な組み合わせの情報提供装置がある。
【０００３】
情報提供装置を例にとると、電車内の文字放送提供装置やテレビＣＭやプロモーションビデオを再生表示可能なテレビモニタ付きの情報提供装置がある。また、同様な装置は、街頭テレビなどを代表とする屋外／屋内に設置されている。
【０００４】
このような広告媒体または情報媒体は、広告主が、広告が示す商品やサービスをマーケット戦略の観点を考慮し、広告内容と合った広告場所や広告時間を選択決定される。
【０００５】
【発明が解決しようとする課題】
しかし、上記で示した広告媒体または情報媒体を用いて広告を行った場合、その広告がきっかけで購買者がＷｅｂサイトへのアクセスや商品の購入を行った事実が広告主に伝わり難い。購買者からのアンケートなどによりある程度は把握できるが、どの場所の広告看板や広告ポスターあるいは街頭テレビで放映されたテレビＣＭであったかまでは購買者から収集することは難しい。
【０００６】
また、適切な広告媒体または情報媒体の選定に関する情報や広告媒体または情報媒体を使用する使用料金などは、広告媒体または情報媒体に関する客観的な評価基準や評価機関がないために、広告対象とする商品やサービスにふさわしいコストと広告効果であったかを判断する手段がない。
【０００７】
さらに、インターネットの普及に伴い、オンラインショッピングなどのコンテンツが充実し、売買やサービスがオンライン上で行われていく中で、広告手段も変化する。ｅ−コマースで代表されるインターネットビジネスでは、広告効果がクリック数やアクセス数などで集計され、その広告を行っているＷｅｂサイトから購買が可能である。
【０００８】
本発明は、上記の課題に鑑みてなされたものであり、広告媒体または情報媒体で提供している広告や、広告媒体または情報媒体で放映している広告を、簡単な操作により携帯電話などの情報端末に広告情報として配信する仕組みを提供することにある。また、広告情報配信履歴などを記録し、その広告媒体または情報媒体の客観的評価情報として、その広告媒体または情報媒体が有している場所の特徴や広告時間に応じた購買者層の情報などを公開する。さらに、それらの情報を基に、広告媒体または情報媒体の市場価値を査定し、広告媒体または情報媒体の客観的な料金表を作成し、広告主が求める広告効率と広告効果の両方を満たす仕組みを提供することにある。
【０００９】
【課題を解決するための手段】
上記目的を達成するために、本発明は、受信者が広告情報を受信するための通信端末と、広告情報を提供する情報提供装置と、広告情報またはその広告情報と関係する情報を管理する広告情報配信支援装置と、広告情報を配信する広告情報配信装置とを備え、広告情報に関連する広告接続先情報を送信可能に保持する広告接続先情報保持手段と、１つ以上の広告接続先情報を取得するための広告接続先情報配信要求を、情報提供装置に送信する広告接続先情報配信要求送信手段と、通信端末からの広告接続先情報配信要求に基づいて、１つ以上の広告接続先情報を取得する広告接続先情報取得手段と、取得した広告接続先情報を、通信端末に送信する広告接続先情報配信送信手段とを備えることを特徴とする広告情報配信支援システムとしている。このため、受信者は、情報提供装置に表示あるいは音声出力されている広告情報で気に入ったものを見つけた場合には、通信端末を用いて、その情報提供装置から広告情報に関連する広告接続先情報を受信し、外部のサーバを通じて広告情報を入手することが可能となる。
【００１０】
また、別の発明は、上記発明における広告接続先情報が広告情報に含まれるものとし、広告接続先情報保持手段が広告接続先情報を取り出して、これを広告情報と別個に保持する広告情報配信支援システムとしている。このため、受信者は、広告情報に含まれる広告接続先情報を記憶しなくても、その広告接続先情報のみを情報提供装置から受信でき、この広告接続先情報を利用して、外部から広告情報を入手することが可能となる。
【００１１】
また、別の発明は、上記発明における広告接続先情報取得手段が、広告情報を提供している時間を含む所定時間内に、広告接続先情報配信要求を受信したことを条件に、広告接続先情報の取得を可能とする広告情報配信支援システムとしている。このため、情報提供装置において広告情報が表示あるいは出力されている時間近傍で、受信者がその広告接続先情報を入手できる。これによって、情報提供装置で表示あるいは音声出力される番組情報に受信者を引きつけることができ、広告効果をより高めることができる。
【００１２】
また、別の発明は、上記発明における広告情報を保持する広告情報保持手段と、１つ以上の広告接続先情報に関連する広告情報を取得するための広告情報配信要求を広告情報配信支援装置に送信する広告情報配信要求送信手段と、広告情報配信要求に関連する広告情報を取得する広告情報取得手段と、取得した広告情報を通信端末に送信する広告情報配信送信手段とを、さらに備えた広告情報配信支援システムとしている。このため、受信者は、情報提供装置から広告接続先情報を入手した後、好みの広告情報に関連する広告接続先情報を選択して、これを広告情報配信支援装置に送信することによって、好みの広告情報を入手することができる。
【００１３】
また、別の発明は、上記発明における広告情報を保持する広告情報保持手段と、１つ以上の広告接続先情報に関連する広告情報を取得するための広告情報配信要求を広告情報配信支援装置に送信する広告情報配信要求送信手段と、広告情報配信要求に関連する広告情報配信装置を取得する広告情報配信装置特定手段と、特定した広告情報配信装置に広告情報の配信指示を送信する広告情報配信指示送信手段と、広告情報配信要求に関連する広告情報を取得する広告情報取得手段と、取得した広告情報を通信端末に送信する広告情報配信送信手段とを、さらに備えた広告情報配信支援システムとしている。このため、受信者は、好みの広告情報を配信する広告情報配信装置を知らなくとも、情報提供装置から広告接続先情報を入手し、好みの広告情報に関連する広告接続先情報の選択と、その広告接続先情報を広告情報配信支援装置に送信するだけで、好みの広告情報を入手することができる。
【００１４】
また、別の発明は、上記発明における広告接続先情報が広告情報に接続可能な接続情報である広告情報配信支援システムとしている。このため、受信者は、通信回線を介して広告情報を入手することができる。
【００１５】
また、別の発明は、上記発明における広告接続先情報がホームページに接続可能なＵＲＬを含む情報である広告情報配信支援システムとしている。このため、広告情報がインターネットを利用して閲覧可能な状態にある場合に、受信者は、サーバ内の当該ＵＲＬが付与されている場所にアクセスして、広告情報を見ることが出来る。
【００１６】
また、別の発明は、上記発明における広告接続先情報に含まれるＵＲＬは、ＵＲＬに情報提供装置識別子または広告識別子を付加すること、またはその両方の識別子付きで広告情報配信装置への接続ができる広告情報配信支援システムとしている。このため、広告情報がインターネットを利用して閲覧可能な状態にある場合に、受信者は、広告情報配信支援装置へ広告接続先情報を送信しないで、直接、「ｈｔｔｐ：／／当該ＵＲＬ／情報提供装置識別子／広告識別子」と指定することにより、広告情報配信装置内の当該ＵＲＬが付与されている場所にアクセスして、広告情報を見ることが出来る。
【００１７】
また、別の発明は、上記発明における広告接続先情報配信送信手段は、情報提供装置で配信履歴として記録され、広告情報配信支援装置からの広告接続先情報配信履歴取得手段よって取得できる広告情報配信支援システムとしている。このため、広告主は、情報提供装置で広告した効果を広告接続先情報の配信履歴から確認することができる。
【００１８】
また、別の発明は、上記発明における広告情報配信支援装置は、少なくとも広告接続先情報配信履歴を含むデータベースを保存する広告情報配信支援システムとしている。このため、広告接続先情報配信履歴などを解析することにより、情報提供装置の広告媒体としての市場価値の視点で捉えた特徴などを定量的に把握することができる。
【００１９】
また、別の発明は、上記発明における広告情報配信支援装置は、少なくとも広告接続先情報配信履歴を含むデータベースを保存した履歴データを解析して、それぞれの情報提供装置の市場価値を評価し、情報公開することを特徴とする広告情報配信支援システムとしている。このため、広告接続先情報配信履歴などを解析した情報提供装置の情報を基に、広告主は、各情報提供装置の特徴と広告媒体としての市場価値を確認することができる。
【００２０】
また、別の発明は、上記発明における広告情報配信送信手段は、情報提供装置が提供する広告情報と同期するための同期情報を、通信端末に、広告情報と合わせて送信にすることができる同期情報取得手段とを、さらに備えた広告情報配信支援システムとしている。このため、受信者は、情報提供装置で視聴している広告と同じ内容の広告を、同時に閲覧することが通信端末で可能となる。
【００２１】
また、別の発明は、上記発明における同期情報取得手段は、広告情報配信送信手段とは別に、情報提供装置が提供する広告情報と同期するための同期情報を、少なくとも広告情報配信支援装置および情報提供装置のいずれか１つから取得することを特徴とする広告情報配信支援システムとしている。このため、受信者は、情報提供装置で視聴している広告と同じ内容の広告を、同時に閲覧することが通信端末で可能となる。
【００２２】
また、別の発明は、上記発明における広告情報の再生時間を、同期情報を使用して管理することを特徴とする広告情報配信支援システムとしている。このため、受信者は、情報提供装置で視聴している広告と同じ内容の広告を、同時に閲覧することが通信端末で可能となる。
【００２３】
また、別の発明は、受信者が広告情報を受信するための通信端末と、広告情報を提供する情報提供装置と、広告情報またはその広告情報と関係する情報を管理する広告情報配信支援装置と、広告情報を配信する広告情報配信装置とを備え、情報提供装置は、提供装置に固有の識別子を受信者に知らしめることを可能とし、広告情報に関連する広告接続先情報を送信可能に保持する広告接続先情報保持手段と、１つ以上の広告接続先情報を取得するための広告接続先情報配信要求を、広告情報配信支援装置に少なくとも情報提供装置の識別子である情報提供装置識別子付きで送信する広告接続先情報配信要求送信手段と、通信端末からの広告接続先情報配信要求に基づいて、１つ以上の広告接続先情報を取得する広告接続先情報取得手段と、取得した広告接続先情報を、通信端末に送信する広告接続先情報配信送信手段とを備えることを特徴とする広告情報配信支援システムとしている。このため、受信者は、情報提供装置に表示あるいは音声出力されている広告情報で気に入ったものを見つけた場合には、通信端末を用いて、その広告情報配信支援装置から広告情報に関連する広告接続先情報を受信し、外部のサーバを通じて広告情報を入手することが可能となる。
【００２４】
また、別の発明は、上記発明における広告接続先情報が広告情報に含まれるものとし、広告接続先情報保持手段が広告接続先情報を取り出して、これを広告情報と別個に保持する広告情報配信支援システムとしている。このため、受信者は、広告情報に含まれる広告接続先情報を記憶しなくても、その広告接続先情報のみを広告情報配信支援装置から受信でき、この広告接続先情報を利用して、外部から広告情報を入手することが可能となる。
【００２５】
また、別の発明は、上記発明における広告接続先情報取得手段が、広告情報を提供している時間を含む所定時間内に、広告接続先情報配信要求を受信したことを条件に、広告接続先情報の取得を可能とする広告情報配信支援システムとしている。このため、情報提供装置において広告情報が表示あるいは出力されている時間近傍で、受信者がその広告接続先情報を入手できる。これによって、情報提供装置で表示あるいは音声出力される番組情報に受信者を引きつけることができ、広告効果をより高めることができる。
【００２６】
また、別の発明は、上記発明における広告情報を保持する広告情報保持手段と、１つ以上の広告接続先情報に関連する広告情報を取得するための広告情報配信要求を広告情報配信支援装置に送信する広告情報配信要求送信手段と、広告情報配信要求に関連する広告情報を取得する広告情報取得手段と、取得した広告情報を通信端末に送信する広告情報配信送信手段とを、さらに備えた広告情報配信支援システムとしている。このため、受信者は、広告情報配信支援装置から広告接続先情報を入手した後、好みの広告情報に関連する広告接続先情報を選択して、これを広告情報配信支援装置に送信することによって、好みの広告情報を入手することができる。
【００２７】
また、別の発明は、上記発明における広告情報を保持する広告情報保持手段と、１つ以上の広告接続先情報に関連する広告情報を取得するための広告情報配信要求を広告情報配信支援装置に送信する広告情報配信要求送信手段と、広告情報配信要求に関連する広告情報配信装置を取得する広告情報配信装置特定手段と、特定した広告情報配信装置に広告情報の配信指示を送信する広告情報配信指示送信手段と、広告情報配信要求に関連する広告情報を取得する広告情報取得手段と、取得した広告情報を通信端末に送信する広告情報配信送信手段とを、さらに備えた広告情報配信支援システムとしている。このため、受信者は、好みの広告情報を配信する広告情報配信装置を知らなくとも、広告情報配信支援装置から広告接続先情報を入手し、好みの広告情報に関連する広告接続先情報の選択と、その広告接続先情報を広告情報配信支援装置に送信するだけで、好みの広告情報を入手することができる。
【００２８】
また、別の発明は、上記発明における広告接続先情報が広告情報に接続可能な接続情報である広告情報配信支援システムとしている。このため、受信者は、通信回線を介して広告情報を入手することができる。
【００２９】
また、別の発明は、上記発明における広告接続先情報がホームページに接続可能なＵＲＬを含む情報である広告情報配信支援システムとしている。このため、広告情報がインターネットを利用して閲覧可能な状態にある場合に、受信者は、サーバ内の当該ＵＲＬが付与されている場所にアクセスして、広告情報を見ることが出来る。
【００３０】
また、別の発明は、上記発明における広告接続先情報配信送信手段は、広告情報配信支援装置で配信履歴を記録する広告情報配信支援システムとしている。このため、広告主は、情報提供装置で広告した効果を広告接続先情報の配信履歴から確認することができる。
【００３１】
また、別の発明は、上記発明における広告情報配信支援装置は、少なくとも広告接続先情報配信履歴を含むデータベースを保存する広告情報配信支援システムとしている。このため、広告接続先情報配信履歴などを解析することにより、情報提供装置の広告媒体としての市場価値の視点で捉えた特徴などを定量的に把握することができる。
【００３２】
また、別の発明は、上記発明における広告情報配信支援装置は、少なくとも広告接続先情報配信履歴を含むデータベースを保存した履歴データを解析して、それぞれの情報提供装置の市場価値を評価し、情報公開することを特徴とする広告情報配信支援システムとしている。このため、広告接続先情報配信履歴などを解析した情報提供装置の情報を基に、広告主は、各情報提供装置の特徴と広告媒体としての市場価値を確認することができる。
【００３３】
また、別の発明は、上記発明における広告情報配信送信手段は、情報提供装置が提供する広告情報と同期するための同期情報を、通信端末に、広告情報と合わせて送信にすることができる同期情報取得手段とを、さらに備えた広告情報配信支援システムとしている。このため、受信者は、情報提供装置で視聴している広告と同じ内容の広告を、同時に閲覧することが通信端末で可能となる。
【００３４】
また、別の発明は、上記発明における同期情報取得手段は、広告情報配信送信手段とは別に、情報提供装置が提供する広告情報と同期するための同期情報を、広告情報配信支援装置から取得することを特徴とする広告情報配信支援システムとしている。このため、受信者は、情報提供装置で視聴している広告と同じ内容の広告を、同時に閲覧することが通信端末で可能となる。
【００３５】
また、別の発明は、上記発明における広告情報の再生時間を、同期情報を使用して管理することを特徴とする広告情報配信支援システムとしている。このため、受信者は、情報提供装置で視聴している広告と同じ内容の広告を、同時に閲覧することが通信端末で可能となる。
【００３６】
また、別の発明は、受信者が広告情報を受信するための通信端末と、広告情報を提供する情報提供装置と、広告情報またはその広告情報と関係する情報を管理する広告情報配信支援装置と、通信端末のアドレス情報から位置情報を取得する位置情報取得装置と、広告情報を配信する広告情報配信装置とを備え、位置情報取得装置は、広告情報配信支援装置からの通信端末のアドレス情報を基に位置情報の検出と、検出した位置情報を広告情報配信支援装置への送信を可能とし、広告情報配信支援装置は、少なくとも１つ以上の情報提供装置の位置情報を管理しているとし、広告情報に関連する広告接続先情報を送信可能に保持する広告接続先情報保持手段と、１つ以上の広告接続先情報を取得するための広告接続先情報配信要求を、広告情報配信支援装置に少なくとも通信端末のアドレス情報付きで送信する広告接続先情報配信要求送信手段と、通信端末からの広告接続先情報配信要求に基づいて、アドレス情報を位置情報取得装置に送信する位置情報取得要求手段と、位置情報取得装置でアドレス情報より検出した位置情報を取得する位置情報取得手段と、取得した位置情報を基に、１つ以上の（最も近い）情報提供装置を特定する情報提供装置特定手段と、特定した情報提供装置が提供している１つ以上の広告情報を特定する広告情報特定手段と、通信端末からの広告接続先情報配信要求に基づいて、特定した広告情報から関係する１つ以上の広告接続先情報を取得する広告接続先情報取得手段と、取得した広告接続先情報を、通信端末に送信する広告接続先情報配信送信手段とを備えることを特徴とする広告情報配信支援システムとしている。このため、受信者は、情報提供装置に表示あるいは音声出力されている広告情報で気に入ったものを見つけた場合には、通信端末を用いて、その広告情報配信支援装置から広告情報に関連する広告接続先情報を受信し、外部のサーバを通じて広告情報を入手することが可能となる。
【００３７】
また、別の発明は、上記発明における広告接続先情報が広告情報に含まれるものとし、広告接続先情報保持手段が広告接続先情報を取り出して、これを広告情報と別個に保持する広告情報配信支援システムとしている。このため、受信者は、広告情報に含まれる広告接続先情報を記憶しなくても、その広告接続先情報のみを広告情報配信支援装置から受信でき、この広告接続先情報を利用して、外部から広告情報を入手することが可能となる。
【００３８】
また、別の発明は、上記発明における広告接続先情報取得手段が、広告情報を提供している時間を含む所定時間内に、広告接続先情報配信要求を受信したことを条件に、広告接続先情報の取得を可能とする広告情報配信支援システムとしている。このため、情報提供装置において広告情報が表示あるいは出力されている時間近傍で、受信者がその広告接続先情報を入手できる。これによって、情報提供装置で表示あるいは音声出力される番組情報に受信者を引きつけることができ、広告効果をより高めることができる。
【００３９】
また、別の発明は、上記発明における広告情報を保持する広告情報保持手段と、１つ以上の広告接続先情報に関連する広告情報を取得するための広告情報配信要求を広告情報配信支援装置に送信する広告情報配信要求送信手段と、広告情報配信要求に関連する広告情報を取得する広告情報取得手段と、取得した広告情報を通信端末に送信する広告情報配信送信手段とを、さらに備えた広告情報配信支援システムとしている。このため、受信者は、広告情報配信支援装置から広告接続先情報を入手した後、好みの広告情報に関連する広告接続先情報を選択して、これを広告情報配信支援装置に送信することによって、好みの広告情報を入手することができる。
【００４０】
また、別の発明は、上記発明における広告情報を保持する広告情報保持手段と、１つ以上の広告接続先情報に関連する広告情報を取得するための広告情報配信要求を広告情報配信支援装置に送信する広告情報配信要求送信手段と、広告情報配信要求に関連する広告情報配信装置を取得する広告情報配信装置特定手段と、特定した広告情報配信装置に広告情報の配信指示を送信する広告情報配信指示送信手段と、広告情報配信要求に関連する広告情報を取得する広告情報取得手段と、取得した広告情報を通信端末に送信する広告情報配信送信手段とを、さらに備えた広告情報配信支援システムとしている。このため、受信者は、好みの広告情報を配信する広告情報配信装置を知らなくとも、広告情報配信支援装置から広告接続先情報を入手し、好みの広告情報に関連する広告接続先情報の選択と、その広告接続先情報を広告情報配信支援装置に送信するだけで、好みの広告情報を入手することができる。
【００４１】
また、別の発明は、上記発明における広告接続先情報が広告情報に接続可能な接続情報である広告情報配信支援システムとしている。このため、受信者は、通信回線を介して広告情報を入手することができる。
【００４２】
また、別の発明は、上記発明における広告接続先情報がホームページに接続可能なＵＲＬを含む情報である広告情報配信支援システムとしている。このため、広告情報がインターネットを利用して閲覧可能な状態にある場合に、受信者は、サーバ内の当該ＵＲＬが付与されている場所にアクセスして、広告情報を見ることが出来る。
【００４３】
また、別の発明は、上記発明における広告接続先情報配信送信手段は、広告情報配信支援装置で配信履歴を記録する広告情報配信支援システムとしている。このため、広告主は、情報提供装置で広告した効果を広告接続先情報の配信履歴から確認することができる。
【００４４】
また、別の発明は、上記発明における広告情報配信支援装置は、少なくとも広告接続先情報配信履歴を含むデータベースを保存する広告情報配信支援システムとしている。このため、広告接続先情報配信履歴などを解析することにより、情報提供装置の広告媒体としての市場価値の視点で捉えた特徴などを定量的に把握することができる。
【００４５】
また、別の発明は、上記発明における広告情報配信支援装置は、少なくとも広告接続先情報配信履歴を含むデータベースを保存した履歴データを解析して、それぞれの情報提供装置の市場価値を評価し、情報公開することを特徴とする広告情報配信支援システムとしている。このため、広告接続先情報配信履歴などを解析した情報提供装置の情報を基に、広告主は、各情報提供装置の特徴と広告媒体としての市場価値を確認することができる。
【００４６】
また、別の発明は、上記発明における広告情報配信送信手段は、情報提供装置が提供する広告情報と同期するための同期情報を、通信端末に、広告情報と合わせて送信にすることができる同期情報取得手段とを、さらに備えた広告情報配信支援システムとしている。このため、受信者は、情報提供装置で視聴している広告と同じ内容の広告を、同時に閲覧することが通信端末で可能となる。
【００４７】
また、別の発明は、上記発明における同期情報取得手段は、広告情報配信送信手段とは別に、情報提供装置が提供する広告情報と同期するための同期情報を、広告情報配信支援装置から取得することを特徴とする広告情報配信支援システムとしている。このため、受信者は、情報提供装置で視聴している広告と同じ内容の広告を、同時に閲覧することが通信端末で可能となる。
【００４８】
また、別の発明は、上記発明における広告情報の再生時間を、同期情報を使用して管理することを特徴とする広告情報配信支援システムとしている。このため、受信者は、情報提供装置で視聴している広告と同じ内容の広告を、同時に閲覧することが通信端末で可能となる。
【００４９】
また、別の発明は、受信者が広告情報を受信するための通信端末と、広告情報を提供する情報提供装置と、広告情報またはその広告情報と関係する情報を管理する広告情報配信支援装置と、広告情報を配信する広告情報配信装置とを備え、通信端末は、端末自身の位置情報の取得を可能とし、広告情報配信支援装置は、少なくとも１つ以上の情報提供装置の位置情報を管理しているとし、広告情報に関連する広告接続先情報を送信可能に保持する広告接続先情報保持手段と、１つ以上の広告接続先情報を取得するための広告接続先情報配信要求を、広告情報配信支援装置に少なくとも上記位置情報付きで送信する広告接続先情報配信要求送信手段と、通信端末からの広告接続先情報配信要求に基づいて、１つ以上の（最も近い）情報提供装置を特定する情報提供装置特定手段と、特定した情報提供装置が提供している１つ以上の広告情報を特定する広告情報特定手段と、通信端末からの広告接続先情報配信要求に基づいて、特定した広告情報から関係する１つ以上の広告接続先情報を取得する広告接続先情報取得手段と、取得した広告接続先情報を、通信端末に送信する広告接続先情報配信送信手段とを備えることを特徴とする広告情報配信支援システムとしている。このため、受信者は、情報提供装置に表示あるいは音声出力されている広告情報で気に入ったものを見つけた場合には、通信端末を用いて、その広告情報配信支援装置から広告情報に関連する広告接続先情報を受信し、外部のサーバを通じて広告情報を入手することが可能となる。
【００５０】
また、別の発明は、上記発明における広告接続先情報が広告情報に含まれるものとし、広告接続先情報保持手段が広告接続先情報を取り出して、これを広告情報と別個に保持する広告情報配信支援システムとしている。このため、受信者は、広告情報に含まれる広告接続先情報を記憶しなくても、その広告接続先情報のみを広告情報配信支援装置から受信でき、この広告接続先情報を利用して、外部から広告情報を入手することが可能となる。
【００５１】
また、別の発明は、上記発明における広告接続先情報取得手段が、広告情報を提供している時間を含む所定時間内に、広告接続先情報配信要求を受信したことを条件に、広告接続先情報の取得を可能とする広告情報配信支援システムとしている。このため、情報提供装置において広告情報が表示あるいは出力されている時間近傍で、受信者がその広告接続先情報を入手できる。これによって、情報提供装置で表示あるいは音声出力される番組情報に受信者を引きつけることができ、広告効果をより高めることができる。
【００５２】
また、別の発明は、上記発明における広告情報を保持する広告情報保持手段と、１つ以上の広告接続先情報に関連する広告情報を取得するための広告情報配信要求を広告情報配信支援装置に送信する広告情報配信要求送信手段と、広告情報配信要求に関連する広告情報を取得する広告情報取得手段と、取得した広告情報を通信端末に送信する広告情報配信送信手段とを、さらに備えた広告情報配信支援システムとしている。このため、受信者は、広告情報配信支援装置から広告接続先情報を入手した後、好みの広告情報に関連する広告接続先情報を選択して、これを広告情報配信支援装置に送信することによって、好みの広告情報を入手することができる。
【００５３】
また、別の発明は、上記発明における広告情報を保持する広告情報保持手段と、１つ以上の広告接続先情報に関連する広告情報を取得するための広告情報配信要求を広告情報配信支援装置に送信する広告情報配信要求送信手段と、広告情報配信要求に関連する広告情報配信装置を取得する広告情報配信装置特定手段と、特定した広告情報配信装置に広告情報の配信指示を送信する広告情報配信指示送信手段と、広告情報配信要求に関連する広告情報を取得する広告情報取得手段と、取得した広告情報を通信端末に送信する広告情報配信送信手段とを、さらに備えた広告情報配信支援システムとしている。このため、受信者は、好みの広告情報を配信する広告情報配信装置を知らなくとも、広告情報配信支援装置から広告接続先情報を入手し、好みの広告情報に関連する広告接続先情報の選択と、その広告接続先情報を広告情報配信支援装置に送信するだけで、好みの広告情報を入手することができる。
【００５４】
また、別の発明は、上記発明における広告接続先情報が広告情報に接続可能な接続情報である広告情報配信支援システムとしている。このため、受信者は、通信回線を介して広告情報を入手することができる。
【００５５】
また、別の発明は、上記発明における広告接続先情報がホームページに接続可能なＵＲＬを含む情報である広告情報配信支援システムとしている。このため、広告情報がインターネットを利用して閲覧可能な状態にある場合に、受信者は、サーバ内の当該ＵＲＬが付与されている場所にアクセスして、広告情報を見ることが出来る。
【００５６】
また、別の発明は、上記発明における広告接続先情報配信送信手段は、広告情報配信支援装置で配信履歴を記録する広告情報配信支援システムとしている。このため、広告主は、情報提供装置で広告した効果を広告接続先情報の配信履歴から確認することができる。
【００５７】
また、別の発明は、上記発明における広告情報配信支援装置は、少なくとも広告接続先情報配信履歴を含むデータベースを保存する広告情報配信支援システムとしている。このため、広告接続先情報配信履歴などを解析することにより、情報提供装置の広告媒体としての市場価値の視点で捉えた特徴などを定量的に把握することができる。
【００５８】
また、別の発明は、上記発明における広告情報配信支援装置は、少なくとも広告接続先情報配信履歴を含むデータベースを保存した履歴データを解析して、それぞれの情報提供装置の市場価値を評価し、情報公開することを特徴とする広告情報配信支援システムとしている。このため、広告接続先情報配信履歴などを解析した情報提供装置の情報を基に、広告主は、各情報提供装置の特徴と広告媒体としての市場価値を確認することができる。
【００５９】
また、別の発明は、上記発明における広告情報配信送信手段は、情報提供装置が提供する広告情報と同期するための同期情報を、通信端末に、広告情報と合わせて送信にすることができる同期情報取得手段とを、さらに備えた広告情報配信支援システムとしている。このため、受信者は、情報提供装置で視聴している広告と同じ内容の広告を、同時に閲覧することが通信端末で可能となる。
【００６０】
また、別の発明は、上記発明における同期情報取得手段は、広告情報配信送信手段とは別に、情報提供装置が提供する広告情報と同期するための同期情報を、広告情報配信支援装置から取得することを特徴とする広告情報配信支援システムとしている。このため、受信者は、情報提供装置で視聴している広告と同じ内容の広告を、同時に閲覧することが通信端末で可能となる。
【００６１】
また、別の発明は、上記発明における広告情報の再生時間を、同期情報を使用して管理することを特徴とする広告情報配信支援システムとしている。このため、受信者は、情報提供装置で視聴している広告と同じ内容の広告を、同時に閲覧することが通信端末で可能となる。
【００６２】
また、別の発明は、受信者が広告情報を受信するための通信端末と、広告情報を提供する情報提供装置と、広告情報またはその広告情報と関係する情報を管理する広告情報配信支援装置と、広告情報を配信する広告情報配信装置とを備え、広告情報に関連する広告接続先情報を送信可能に保持する広告接続先情報保持手段と、１つ以上の広告接続先情報を取得するための広告接続先情報配信要求を、情報提供装置に送信する広告接続先情報配信要求送信手段と、通信端末からの広告接続先情報配信要求に基づいて、１つ以上の広告接続先情報を取得する広告接続先情報取得手段とを備えることを特徴とする広告情報配信支援システムとしている。このため、受信者は、情報提供装置に表示あるいは音声出力されている広告情報で気に入ったものを見つけた場合には、通信端末を用いて、その情報提供装置から広告情報に関連する広告接続先情報を介して、外部のサーバを通じて広告情報を入手することが可能となる。
【００６３】
また、別の発明は、上記発明における広告接続先情報が広告情報に含まれるものとし、広告接続先情報保持手段が広告接続先情報を取り出して、これを広告情報と別個に保持する広告情報配信支援システムとしている。このため、受信者は、広告情報に含まれる広告接続先情報を記憶しなくても、その広告接続先情報を利用して、外部から広告情報を入手することが可能となる。
【００６４】
また、別の発明は、上記発明における広告接続先情報取得手段が、広告情報を提供している時間を含む所定時間内に、広告接続先情報配信要求を受信したことを条件に、広告接続先情報の取得を可能とする広告情報配信支援システムとしている。このため、情報提供装置において広告情報が表示あるいは出力されている時間近傍で、広告接続先情報を特定できる。
【００６５】
また、別の発明は、上記発明における広告情報を保持する広告情報保持手段と、情報提供装置からの１つ以上の広告接続先情報に関連する広告情報を取得するための広告情報配信要求を広告情報配信支援装置に送信する広告情報配信要求送信手段と、広告情報配信要求に関連する広告情報を取得する広告情報取得手段と、取得した広告情報を通信端末に送信する広告情報配信送信手段とを、さらに備えた広告情報配信支援システムとしている。このため、受信者は、情報提供装置に表示あるいは音声出力されている広告情報で気に入ったものを見つけた場合には、通信端末を用いて、その情報提供装置から広告情報に関連する広告接続先情報を介して、広告情報配信支援装置を通じて広告情報を入手することができる。
【００６６】
また、別の発明は、上記発明における広告情報を保持する広告情報保持手段と、情報提供装置からの１つ以上の広告接続先情報に関連する広告情報を取得するための広告情報配信要求を広告情報配信支援装置に送信する広告情報配信要求送信手段と、広告情報配信要求に関連する広告情報配信装置を取得する広告情報配信装置特定手段と、特定した広告情報配信装置に広告情報の配信指示を送信する広告情報配信指示送信手段と、広告情報配信要求に関連する広告情報を取得する広告情報取得手段と、取得した広告情報を通信端末に送信する広告情報配信送信手段とを、さらに備えた広告情報配信支援システムとしている。このため、受信者は、好みの広告情報を配信する広告情報配信装置を知らなくとも、通信端末を用いて、その情報提供装置から広告情報に関連する広告接続先情報を介して、広告情報配信装置を通じて広告情報を入手することができる。
【００６７】
また、別の発明は、上記発明における広告接続先情報配信送信手段は、情報提供装置で配信履歴として記録され、広告情報配信支援装置からの広告接続先情報配信履歴取得手段よって取得できる広告情報配信支援システムとしている。このため、広告主は、情報提供装置で広告した効果を広告接続先情報の配信履歴から確認することができる。
【００６８】
また、別の発明は、上記発明における広告情報配信支援装置は、少なくとも広告接続先情報配信履歴を含むデータベースを保存する広告情報配信支援システムとしている。このため、広告接続先情報配信履歴などを解析することにより、情報提供装置の広告媒体としての市場価値の視点で捉えた特徴などを定量的に把握することができる。
【００６９】
また、別の発明は、上記発明における広告情報配信支援装置は、少なくとも広告接続先情報配信履歴を含むデータベースを保存した履歴データを解析して、それぞれの情報提供装置の市場価値を評価し、情報公開することを特徴とする広告情報配信支援システムとしている。このため、広告接続先情報配信履歴などを解析した情報提供装置の情報を基に、広告主は、各情報提供装置の特徴と広告媒体としての市場価値を確認することができる。
【００７０】
また、別の発明は、上記発明における広告情報配信送信手段は、情報提供装置が提供する広告情報と同期するための同期情報を、通信端末に、広告情報と合わせて送信にすることができる同期情報取得手段とを、さらに備えた広告情報配信支援システムとしている。このため、受信者は、情報提供装置で視聴している広告と同じ内容の広告を、同時に閲覧することが通信端末で可能となる。
【００７１】
また、別の発明は、上記発明における同期情報取得手段は、広告情報配信送信手段とは別に、情報提供装置が提供する広告情報と同期するための同期情報を、少なくとも広告情報配信支援装置および情報提供装置のいずれか１つから取得することを特徴とする広告情報配信支援システムとしている。このため、受信者は、情報提供装置で視聴している広告と同じ内容の広告を、同時に閲覧することが通信端末で可能となる。
【００７２】
また、別の発明は、上記発明における広告情報の再生時間を、同期情報を使用して管理することを特徴とする広告情報配信支援システムとしている。このため、受信者は、情報提供装置で視聴している広告と同じ内容の広告を、同時に閲覧することが通信端末で可能となる。
【００７３】
また、別の発明は、受信者が広告情報を受信するための通信端末と、広告情報を提供する情報提供装置と、広告情報またはその広告情報と関係する情報を管理する広告情報配信支援装置とを備え、広告情報に関連する広告接続先情報を送信可能に保持する広告接続先情報保持手段と、１つ以上の広告接続先情報を取得するための広告接続先情報配信要求を、情報提供装置に送信する広告接続先情報配信要求送信手段と、通信端末からの広告接続先情報配信要求に基づいて、１つ以上の広告接続先情報を取得する広告接続先情報取得手段と、取得した上記広告接続先情報を、通信端末に送信する広告接続先情報配信送信手段とを備えることを特徴とする広告情報配信支援システムとしている。このため、受信者は、情報提供装置に表示あるいは音声出力されている広告情報で気に入ったものを見つけた場合には、通信端末を用いて、その情報提供装置から広告情報に関連する広告接続先情報を受信し、さらに、広告情報を入手することが可能となる。
【００７４】
また、別の発明は、上記発明における広告接続先情報が広告情報に含まれるものとし、広告接続先情報保持手段が広告接続先情報を取り出して、これを広告情報と別個に保持する広告情報配信支援システムとしている。このため、受信者は、広告情報に含まれる広告接続先情報を記憶しなくても、その広告接続先情報のみを情報提供装置から受信でき、この広告接続先情報を利用して、広告情報を入手することが可能となる。
【００７５】
また、別の発明は、上記発明における広告接続先情報取得手段が、広告接続先情報を提供している時間を含む所定時間内に、広告接続先情報配信要求を受信したことを条件に、広告接続先情報の取得を可能とする広告情報配信支援システムとしている。このため、情報提供装置において広告情報が表示あるいは出力されている時間近傍で、受信者がその広告接続先情報を入手できる。これによって、情報提供装置で表示あるいは音声出力される番組情報に受信者を引きつけることができ、広告効果をより高めることができる。
【００７６】
また、別の発明は、上記発明における広告情報を保持する広告情報保持手段と、１つ以上の広告接続先情報に関連する広告情報を取得するための広告情報配信要求を広告情報配信支援装置に送信する広告情報配信要求送信手段と、広告情報配信要求に関連する広告情報を取得する広告情報取得手段と、取得した広告情報を通信端末に送信する広告情報配信送信手段とを、さらに備えた広告情報配信支援システムとしている。このため、受信者は、情報提供装置から広告接続先情報を入手した後、好みの広告情報に関連する広告接続先情報を選択して、これを情報提供装置に送信することによって、好みの広告情報を入手することができる。
【００７７】
また、別の発明は、上記発明における広告接続先情報が広告情報に接続可能な接続情報である広告情報配信支援システムとしている。このため、受信者は、通信回線を介して広告情報を入手することができる。
【００７８】
また、別の発明は、上記発明における広告接続先情報がホームページに接続可能なＵＲＬを含む情報である広告情報配信支援システムとしている。このため、広告情報がインターネットを利用して閲覧可能な状態にある場合に、受信者は、サーバ内の当該ＵＲＬが付与されている場所にアクセスして、広告情報を見ることが出来る。
【００７９】
また、別の発明は、上記発明における広告接続先情報配信送信手段は、情報提供装置で配信履歴として記録され、広告情報配信支援装置からの広告接続先情報配信履歴取得手段よって取得できる広告情報配信支援システムとしている。このため、広告主は、情報提供装置で広告した効果を広告接続先情報の配信履歴から確認することができる。
【００８０】
また、別の発明は、上記発明における広告情報配信支援装置は、少なくとも広告接続先情報配信履歴を含むデータベースを保存する広告情報配信支援システムとしている。このため、広告接続先情報配信履歴などを解析することにより、情報提供装置の広告媒体としての市場価値の視点で捉えた特徴などを定量的に把握することができる。
【００８１】
また、別の発明は、上記発明における広告情報配信支援装置は、少なくとも広告接続先情報配信履歴を含むデータベースを保存した履歴データを解析して、それぞれの情報提供装置の市場価値を評価し、情報公開することを特徴とする広告情報配信支援システムとしている。このため、広告接続先情報配信履歴などを解析した情報提供装置の情報を基に、広告主は、各情報提供装置の特徴と広告媒体としての市場価値を確認することができる。
【００８２】
また、別の発明は、上記発明における広告情報配信送信手段は、情報提供装置が提供する広告情報と同期するための同期情報を、通信端末に、広告情報と合わせて送信にすることができる同期情報取得手段とを、さらに備えた広告情報配信支援システムとしている。このため、受信者は、情報提供装置で視聴している広告と同じ内容の広告を、同時に閲覧することが通信端末で可能となる。
【００８３】
また、別の発明は、上記発明における同期情報取得手段は、広告情報配信送信手段とは別に、情報提供装置が提供する広告情報と同期するための同期情報を、少なくとも広告情報配信支援装置および情報提供装置のいずれか１つから取得することを特徴とする広告情報配信支援システムとしている。このため、受信者は、情報提供装置で視聴している広告と同じ内容の広告を、同時に閲覧することが通信端末で可能となる。
【００８４】
また、別の発明は、上記発明における広告情報の再生時間を、同期情報を使用して管理することを特徴とする広告情報配信支援システムとしている。このため、受信者は、情報提供装置で視聴している広告と同じ内容の広告を、同時に閲覧することが通信端末で可能となる。
【００８５】
【発明の実施の形態】
以下、本発明の広告情報配信支援システムの実施の形態について、図面に基づいて説明する。
【００８６】
（第１の実施の形態）
第１の実施の形態を図１から図７を用いて説明する。図１は、本発明の広告情報配信支援システムの第１の実施の形態の全体を示したブロック図である。図２は、図１の広告情報配信支援システムにおける通信端末１と情報提供装置２の構成の一例のブロック図である。図３は、図１の広告情報配信支援システムにおける広告情報配信支援装置３の構成の一例のブロック図である。図４は、図１の広告情報配信支援システムにおける広告情報配信支援装置３と広告情報配信装置４と通信端末１の構成の一例のブロック図である。図５は、図１の広告情報配信支援システムにおける各装置とその処理の流れを示した概要図である。図６は、図１の広告情報配信支援システムの動作説明に用いるフローチャートである。図７は、本発明の一実施形態の説明に用いる表示画面の外観図である。
【００８７】
図１を用いて、第１の実施の形態の広告情報配信支援システムを構成する装置の説明をする。
【００８８】
図１で示す広告情報配信支援システムの主な構成要素は、受信者が広告情報および広告情報に接続するための広告接続先情報を受信するための通信端末１と、広告接続先情報を受信者に提供可能な情報提供装置２と、広告接続先情報を基に広告情報の配信指示を行う広告情報配信支援装置３と、広告情報を配信する広告情報配信装置４と、通信端末１の無線通信を可能とする基地局５と、インターネット通信網６となっている。
【００８９】
通信端末１、広告情報配信支援装置３、広告情報配信装置４、基地局５は、インターネット通信網６上に配置する。情報提供装置２は、インターネット通信網６上に配置してもしなくとも良い。ここでは、情報提供装置２はインターネット通信網６上に配置するとして説明する。
【００９０】
インターネット通信網６は、電話回線を含むインターネットへの接続を可能とする全ての回線網を指している。また、高速イーサーネット等の高速通信網で行うものやケーブルテレビにおける高速通信網等もインターネットへの接続が可能であることから同様に含むものとする。
【００９１】
通信端末１と情報提供装置２との間には、無線や赤外線や電磁誘導（非接触式ＩＣカードとリーダ／ライター装置）または接触型のデータ読み取りなどの方式を利用したインターネット通信網６とは異なる通信手段または通信網での情報の送受信が可能な仕組みを備えている。ここでは、インターネット通信網６と異なる手段として説明しているが、インターネット通信網６と同じ通信手段を用いていても、基地局５を介さないで直接的に通信端末１と情報提供装置２が無線ＬＡＮなどによって双方向の通信手段が確立する場合は、第１の実施の形態の通信端末１と情報提供装置２との間の通信手段としても良い。
【００９２】
図２を用いて、図１の通信端末１と情報提供装置２の構成の一例の説明をする。
【００９３】
通信端末１は、情報提供装置２で提供される広告を広告接続先情報または広告情報として閲覧を可能とする携帯電話、携帯端末やその他のインターネット接続機器などである。
【００９４】
本実施の形態での通信端末１の構成は、広告情報および広告接続先情報を表示する表示部１３または音声を出力する音声出力部１４のうち少なくとも１つと、それらを制御する出力制御部１１と、広告接続先情報などの内容をキーやタッチペンなどを使用して選択操作することを可能とする操作部１５と、それを制御する入力制御部１２と、情報提供装置と広告接続先情報の配信要求や広告接続先情報の受信などを可能とする赤外線通信部８と、その配信要求の際に通信端末１の電話番号などを付加する場合の付加情報を格納しておく付加情報格納部１６と、情報提供装置２より配信された広告接続先情報を保持する広告接続先情報格納部１７と、インターネット通信網６に接続する通信部１０と、広告接続先情報を基に配信される広告情報を格納する広告情報格納部２０と、広告情報の再生時間などを管理する出力情報管理部１８と、これらの処理を可能とする制御部９とを備えている。さらに、位置情報を取得できるＧＰＳや電子コンパスなどの機能を有した位置情報検出部があっても良い。
【００９５】
また、通信端末１と情報提供装置２との間で同期表示を実現する一例とする同期情報を格納する同期情報格納部１９と、通信端末１内で管理している時間情報を標準時間によって定期的に補正する信号を受信するための標準時間受信部２２と、その受信情報を任意の期間保存する標準時間保持部２１とを備えていても良い。同期表示については、第７の実施の形態で説明する。
【００９６】
情報提供装置２は、広告を提供する媒体を指しているが、広告を提供する情報提供装置またはその広告に広告接続先情報を付加する情報補完装置がなければならないとする。情報提供装置の場合は、広告情報と広告接続先情報を格納する情報格納部を有していること、情報補完装置は、広告接続先情報を格納する情報格納部を有し、広告を提供する広告情報を有していないことの違がある。ここで、「提供」とは、受信者に視覚的および聴覚的に広告情報を認知させる行為をいう。
【００９７】
また、情報提供装置２の構成は、広告の表示や音声の出力などを制御する出力部２６と、広告を提供する広告の情報を格納する広告情報格納部３４と、広告や広告情報に対応したその関連情報を有している広告接続先情報が格納されている広告接続先情報格納部３５と、広告情報の再生スケジュールなどを管理する広告情報管理部３３と、通信端末１からの広告接続先情報の配信要求の受信と指定された広告接続先情報の配信を可能とする赤外線通信部２３と、その配信要求の受信時に付加情報が付加されている場合にその情報を格納する配信要求格納部３０と、これらの処理を可能とする制御部２４とを備えている。
【００９８】
受信者に広告を提供する出力部２６の出力先であるモニタ２７と、スピーカ２９と、電光掲示板２８はあっても良い。また、広告接続先情報の配信要求履歴を格納する広告接続先情報配信履歴格納部３１があっても良い。
【００９９】
さらに、広告情報や広告接続先情報をオンラインで更新する場合、広告接続先情報配信履歴格納部３１に格納している配信要求履歴を広告情報配信支援装置３に送信する場合や通信端末１から受信した広告接続先情報の配信要求で指定された広告接続先情報を通信端末１ではなく広告情報配信支援装置３へ送信する場合などに必要なインターネット通信網６に接続するための通信部２５があっても良い。
【０１００】
また、通信端末１と情報提供装置２との間で同期表示を実現する一例とする同期情報を格納する同期情報格納部３２と、通信端末１内で管理している時間情報を標準時間によって定期的に補正する信号を受信するための標準時間受信部３７と、その受信情報を任意の期間保存する標準時間保持部３６とを備えていても良い。同期表示については、第７の実施の形態で説明する。
【０１０１】
図３を用いて、図１の広告情報配信支援装置３の構成の一例の説明をする。
【０１０２】
広告情報配信支援装置３は、通信端末１または情報提供装置２からの広告情報配信要求を受信し、その広告情報配信要求で示された広告接続先情報から要求される広告情報を配信する広告情報配信装置４を特定し、広告情報配信指示を行う。
【０１０３】
このことから、広告情報配信支援装置３の構成は、広告情報配信要求を受信または広告情報配信指示を行うためのインターネット通信網６に接続するための通信部３８と、広告情報配信要求で示される広告接続先情報を格納する配信要求格納部４２と、通信端末１がサービス利用申請されているかどうかを確認する認証情報管理部４０と、その確認において使用する認証ＩＤなどを格納する認証情報格納部４１と、情報提供装置２からの広告接続先情報配信履歴を収集保持するための接続先情報配信履歴格納部４９と、広告情報配信装置４からの広告情報配信履歴を収集保持するための広告情報配信履歴格納部５０と、それらの履歴情報を基に情報提供装置２の広告媒体または情報媒体としての重要度や訴求力を解析する履歴解析部５１と、履歴解析部５１の解析データを基に情報提供装置２の広告媒体または情報媒体としての評価情報などを格納する情報提供装置詳細情報格納部５２と、情報提供装置２の広告媒体または情報媒体の価値価格やターゲットユーザ（広告接続先情報の取得要求を行った認証ＩＤとその認証ＩＤを取得する際に登録するユーザ情報とを解析し導き出したユーザ像）などを格納する情報提供装置情報格納部４７と、これらの処理を可能とする制御部３９とを備えている。
【０１０４】
また、広告情報配信支援装置３が、情報提供装置２とインターネット通信網６でオンライン接続されている条件下で、情報提供装置２が格納している広告情報や広告接続先情報の新規登録や更新または削除を管理運営する機構を有する情報提供装置管理部４５があっても良い。よって、その情報提供装置情報管理部４５を広告配信支援装置３に有する場合には、広告情報を格納する広告情報格納部５４および広告接続先情報を格納する広告接続先情報格納部５６があっても良い。
【０１０５】
さらに、情報提供装置情報管理部４５は、情報提供装置情報格納部４７の広告媒体または情報媒体としての情報を広告情報配信支援ホームページ５３として提供し、広告媒体または情報媒体の情報公開機能、そのホームページを利用してのインターネット経由で広告情報および広告接続先情報の配信および検索を提供する機能があっても良い。
【０１０６】
広告情報配信装置４から配信した広告情報が元で売買などが成立した情報が広告情報配信装置４で履歴として記録されている場合に、その履歴を売買履歴として収集保持する売買履歴／接続履歴格納部４８があっても良い。
【０１０７】
また、本実施の形態では、情報提供装置２は通信端末１によって予め特定されているが、第２の実施の形態および第３の実施の形態で情報提供装置２を特定するために必要な情報提供装置２の位置情報を格納する位置情報格納部４３があっても良い。
【０１０８】
さらに、通信端末１と情報提供装置２との間で同期表示を実現する一例とする同期情報が情報提供装置２で生成される場合で、その同期情報を取得した際に格納する同期情報格納部４４があっても良い。
【０１０９】
図４を用いて、図１の広告情報配信装置４の構成の一例の説明をする。
【０１１０】
広告情報配信装置４は、広告情報の配信を行う配信装置である。少なくとも配信装置の構成は、広告情報配信指示を受信または広告情報を配信するためのインターネット通信網６に接続するための通信部６１と、その配信指示を保持する配信指示格納部６４と、広告情報を管理する広告情報管理部６３と、広告情報を格納する広告情報格納部６５と、これらの処理を可能とする制御部６２とを備えている。ここでは、広告情報配信装置４は別装置として説明しているが、広告情報配信支援装置３に広告情報配信装置４の機能があっても良い。
【０１１１】
広告情報の配信を行う際に配信履歴を記録する広告情報配信履歴格納部６７と、通信端末１へ配信した広告情報が元で売買などが成立した情報が広告情報配信装置４で履歴として記録する売買履歴／接続履歴格納部６８とあっても良い。
【０１１２】
また、広告情報配信装置４が、情報提供装置２に対して広告情報を更新する機能を有している場合の情報提供装置２の情報を格納している情報提供装置情報格納部６６があっても良い。
【０１１３】
さらに、通信端末１と情報提供装置２との間で同期表示を実現する一例とする同期情報が情報提供装置２および広告情報配信支援装置３で生成される場合で、その同期情報を取得した際に保持する同期情報格納部６９があっても良い。
【０１１４】
情報提供装置２と広告情報配信装置４が一体型での情報提供を行っている場合は、同期情報は広告情報管理部６３で管理される。よって、同期情報格納部６９は、広告情報配信装置４以外で同期情報が作成される場合で、広告情報配信支援装置３からの広告情報配信指示で取得する場合にのみ使用する格納部である。
【０１１５】
また、広告情報配信装置４は、通信端末１からのＵＲＬ指定などによる直接の接続を可能として、そのＵＲＬに相当する広告情報の配信を行う機能があっても良い。
【０１１６】
図５を用いて、図１の広告情報配信支援システムにおける各装置とその処理の流れを説明する。
【０１１７】
受信者は、情報提供装置２が提供する広告を視聴している。視聴している広告に興味を持った場合に、本実施の形態では、上記の装置が提供する広告情報配信支援システムを利用して視聴している広告またはその広告関連情報を入手することができる。ここでの広告または広告関連情報を広告情報とする。
【０１１８】
受信者は、視聴している広告を視聴している間、またはその広告提供終了後、任意の時間までに情報提供装置２に対して通信端末１から広告接続先情報配信要求Ｓ１を行う。
【０１１９】
次に、情報提供装置２は、広告接続先情報配信要求Ｓ１を受信後、広告提供中または広告提供終了後の任意の時間内の該当する広告を特定し、その特定した広告の広告接続先情報を通信端末１に対して広告接続先情報配信Ｓ２を行う。すると、通信端末１では、広告接続先情報が受信され保持される。この場合、広告接続先情報は、指定の時間によって１つに特定した実施の形態で説明しているが、特定した広告接続先情報を優先的に扱うとする１つ以上の広告接続先情報であっても良い。また、１つ以上の広告接続先情報とそれらの広告接続先情報のインデックス（広告インデックス）をまとめた広告インデックスリストを付加したものであっても良い。ここで、広告インデックスとは、特定した広告とその前後の広告を任意の個数選定し、それらの広告接続先情報の簡易情報（広告主、広告対象コード、ＵＲＬなど）を通信端末１で一覧表示による閲覧が可能な情報のことである。
【０１２０】
また、これらの広告接続先情報のデータの形態は、広告接続先情報配信要求Ｓ１時に情報付加することで制御できる仕組みである。付加する情報としては、広告情報配信先アドレス（ＩＰアドレス、電話番号、ＭａｉｌアドレスやユーザＩＤなど）、広告情報要求日時、配信先の位置情報、同期表示属性（非同期コンテンツに同時性を持たせることが可能な機能の情報）、広告情報配信単位指定（広告インデックスリスト付き／広告情報量の選択／データの種別など）、広告制御情報（広告管理Ｎｏ．やコンポーネント数など）や認証情報（認証ＩＤと認証パスワード）などがある。
【０１２１】
次に、受信者は、通信端末１に保持された広告接続先情報を閲覧する。閲覧により特定の広告接続先情報を選択し、その広告接続先情報を使用して広告情報を取得する。その取得手続きは、通信端末１は、広告情報配信支援装置３に広告情報の配信要求を上記の一連の流れで保持された広告接続先情報付きで広告情報配信要求Ｓ３を行う。また、保持された広告接続先情報が１つの場合は、閲覧なしの自動的な広告情報配信要求Ｓ３を行っても良い。
【０１２２】
広告情報配信要求Ｓ３を受けた広告情報配信支援装置３は、その要求が広告接続先情報付きであることを確認した上で、広告接続先情報が有している広告接続先アドレスを基に、その広告接続先アドレスが示す広告情報配信装置４に対して広告情報配信指示Ｓ４を行う。この広告情報配信指示Ｓ４で広告情報配信装置４に引き継がれる情報としては、通信端末１への配信先アドレスなどがある。
【０１２３】
通信端末１への配信先アドレスは、広告情報配信支援装置３が通信端末１からの広告情報配信要求Ｓ３を受信した時点で取得できるＩＰアドレスや電話番号などを用いるか、広告接続先情報が有している広告情報配信先アドレスを用いる。また、広告接続先情報が有している広告識別子や情報提供装置識別子を、広告情報配信指示Ｓ４で広告情報配信装置４に引き継がれる情報に付加しても良い。
【０１２４】
広告情報配信指示Ｓ４を受けた広告情報配信装置４は、広告情報配信指示Ｓ４で引き渡された情報を基に通信端末１に対して指定された広告情報配信Ｓ５を行う。通信端末１では、配信された広告情報の閲覧が可能となる。
【０１２５】
さらに、図５を用いて、図１から図４で説明した広告情報配信支援システムの装置とその装置部が提供するシステムサービスについて、そのサービスを機能として説明する。
【０１２６】
広告情報配信支援システムは、通信端末１が有している広告接続先情報配信要求Ｓ１とする取得手段とその取得手段で取得した広告接続先情報を基に広告情報配信要求Ｓ３とする取得手段を提供することにある。
【０１２７】
また、広告情報配信支援システムは、広告情報配信支援装置３が有している受信した広告接続先情報を基に広告情報配信装置４を特定し広告情報配信指示Ｓ４を行う広告情報配信指示Ｓ４とする指示手段を提供することにある。
【０１２８】
さらに、広告情報配信支援システムは、広告情報配信支援サービス利用申請Ｓ６を事前申請やサービス利用対象者でない受信者からの広告情報取得要求を受信した時点でオンライン登録させるなどのサービス利用申請に関する幾つかの申請方法により登録されたサービス利用対象者の運営管理を行う広告情報配信支援装置３に認証管理部４０を備えているとともに、そのサービス利用認証手段を提供することにある。
【０１２９】
認証行為は、広告情報配信支援装置３が通信端末１または情報提供装置２からの広告情報配信要求Ｓ３を広告接続先情報付きで受信した場合に、通信端末１を有している受信者がサービス利用対象者であるかどうかを確認することを指している。
【０１３０】
確認には、広告情報配信支援装置３が通信端末１からの広告情報配信要求Ｓ３を受信した時点で取得できるＩＰアドレスや電話番号などや、広告接続先情報が有している広告情報配信先アドレスを用いて、広告情報配信支援装置３の認証管理部４０に登録されているサービス利用申請データと照合させる方法と、サービス利用申請で発行される認証ＩＤを用いる方法などがある。
【０１３１】
これらの手段を組み合わせることによって、受信者が行った通信端末１からの情報提供装置２への広告接続先情報配信要求Ｓ１が、上記までの説明で示した一連の処理で、情報提供装置２が提供する広告の広告情報の閲覧が可能となる。
【０１３２】
すなわち、通信端末１で閲覧する広告情報は、広告接続先情報が有している広告接続先アドレスによって以下のようになる。
▲１▼広告接続先アドレスが視聴している広告であった場合は、情報提供装置２で視聴した広告を通信端末１で再度、閲覧することができる。
▲２▼広告接続先アドレスが視聴している広告のさらなる関連広告の場合は、その関連広告とする広告情報が閲覧できる。
▲３▼広告接続先アドレスが視聴している広告で確認できる問い合わせ接続明記先であり、例えばその接続明記先がＵＲＬの場合は、その接続明記先のＷｅｂサイトへ接続し、そのＷｅｂサイトを閲覧することができる。
【０１３３】
また、広告情報配信支援システムは、情報提供装置２がインターネット通信網６に接続するための通信部を有し、かつ、インターネット通信網６に接続されている場合に、情報提供装置２が有している情報格納部の少なくとも広告情報または広告接続先情報をオンラインで更新するリモートメンテナンス手段である広告／広告接続先情報更新Ｓ９を提供している。
【０１３４】
さらに、広告情報配信支援システムは、情報提供装置２で収集する広告接続先情報配信履歴を広告情報配信支援装置３が行う広告接続先情報配信履歴取得Ｓ８と、広告情報配信装置４で収集する広告情報配信履歴を広告情報配信支援装置３が行う広告情報配信履歴取得Ｓ７とする手段を提供している。
【０１３５】
上記の履歴情報は、本実施の形態が実現する情報提供装置２を利用した広告展開をより推進するためのものである。広告効果が得難かった情報提供装置２を管理する広告情報配信支援装置３をインターネット通信網６に配置し、広告を視聴したい受信者の通信端末１へ情報提供装置２で提供している広告またはその広告関連情報である広告情報を、広告接続先情報を介して広告情報配信支援装置３が配信または配信指示を行い通信端末１に広告情報を配信することは、広告媒体または情報媒体と受信者を結びつける広告情報配信支援サービスの１つである。
【０１３６】
また、上記の履歴情報と、広告情報配信支援サービス利用申請Ｓ６で管理される受信者の情報（例えば、名前、性別、血液型、アンケートなど）とを関連付けることにより、情報提供装置２の広告媒体または情報媒体としての特性を把握することができる。
【０１３７】
さらに、上記の特性を利用して、その特性にあった広告戦略を行うことにより、広告媒体または情報媒体がマーケティング機能の一部として作用させることができる。このことは、広告主が、予め広告を展開する情報提供装置２の特徴を理解していること、さらには、広告展開する上の情報提供装置２の役割を認識していることを意味している。
【０１３８】
本発明の広告情報配信支援システム（ビジネスモデル）は、広告市場並びに広告媒体または情報媒体の市場を透明な情報提供と明瞭な価格設定による競争原理を導入した適性市場化を実現する。そのためにも、収集した履歴情報を基に、評価基準や評価一覧、広告媒体または情報媒体の強み、特徴、料金表を、インターネットを介して広告情報配信支援ホームページとして公開することに意義がある。
【０１３９】
中吊り広告やポスターなど、その広告効果が定量化できなかった広告媒体または情報媒体、また、広告掲載料金が妥当であるかを判断することができなかった看板広告、さらに、広告が有しているマーケットのユーザが、その広告を実施している広告場所や広告時間が適切であるかが確認できる。また、これらの情報（広告情報配信支援ホームページの内容）は、本発明の広告情報配信支援システムを利用して広告を行った広告主およびサービス利用申請Ｓ６を行った受信者の少なくともいずれか一方に、定期的にメールなどの手段を用いて配信しても良い。
【０１４０】
本発明の広告情報配信支援システム（ビジネスモデル）は、収集した履歴情報を基に、広告媒体または情報媒体の広告効果を定量評価し、その定量評価値から広告効果をランキング化する。このランキング機能は、今までにない機能であり本ビジネスモデルの優位性である。
【０１４１】
本発明の広告情報配信支援システム（ビジネスモデル）の特徴は、広告媒体または情報媒体が、その媒体を利用することにより情報媒体から直接または間接的にＵＲＬ情報などを自動的に取得する手段と、さらにその任意の指定サイトへの接続を支援する方法を提供していることにある。
【０１４２】
また、本発明の広告情報配信支援システム（ビジネスモデル）の特徴は、広告および広告媒体が一連の流れの操作の中で、関連付けを視聴者であるユーザに提供し、能動的な行為をより促すことによる潜在的なターゲットユーザの顕在化およびオフラインと定義されていたポスターや広告看板などの広告媒体をオンライン（インターネット接続）への接続させる動機付けの機会を提供できることにある。
【０１４３】
例えば、電車内に設定されている中吊り広告などを視聴中に、より詳しくその広告の内容を知りたい、または、後で確認するために参照先を記録しておきたいと感じことはある。この場合には、電車内に設定されている中吊り広告を視聴しているその場で、電車内の所定の位置に設定された赤外線のポートを利用して（第１の実施の形態での実現の場合）、受信者の通信端末１に、中吊り広告の広告接続先情報である視聴している中吊り広告を電子情報として取得することが可能となる。
【０１４４】
さらに、この電子情報は、中吊り広告の見出し単位に広告接続先アドレスが格納されている場合、通信端末１の画面上でその見出しを選択し接続の旨の操作を行うと、広告接続先アドレスで記述された情報が広告情報配信装置４より配信される。
【０１４５】
このようにして、中吊り広告などの種々な伝達手段から、「情報」や「広告」を容易に取得できる広告情報配信支援システムは、次の４つの動機に作用する。
▲１▼　広告が示す広告接続先情報を含む付加情報を取得したい。
▲２▼　広告が示す広告接続先情報を含む付加情報を教えたい。
▲３▼　広告が示す内容へ直ぐに接続したい。
▲４▼　広告自体を閲覧したい。
【０１４６】
図６と用いて、図５で説明した一連の流れを通信端末１での操作の流れで説明する。また、図２から図４で示した装置部を示して説明する。
【０１４７】
受信者は、広告を取得するために、視聴している広告を視聴している間、またはその広告提供終了後に、任意の時間までに情報提供装置２に対して操作部１５の任意の操作ボタンまたは表示画面上のボタンなどを押下する（Ｓ２０）。
【０１４８】
操作部１５からの信号は、入力制御部１２で検出し制御部９へ選択信号として解釈される。制御部９では、付加情報付きで広告接続先情報配信要求Ｓ１を実行する設定かどうか付加情報格納部１６の設定を確認する（ここでは、設定されているとして説明するが、設定がされていない付加情報なしでの広告接続先情報配信要求Ｓ１を実行しても良い）。制御部９は、付加情報格納部１６から広告接続先情報配信要求Ｓ１時に付加情報として添付する設定情報を付加情報として取得し、情報提供装置２に対して広告接続先情報配信要求Ｓ１を赤外線通信部８より送信する。
【０１４９】
情報提供装置２の赤外線通信部２３で広告接続先情報配信要求Ｓ１は受信され、制御部２４により配信要求格納部３０に格納される。次に、制御部２４は、広告情報管理部３３に広告接続先情報配信要求Ｓ１が要求した広告の特定を処理させる。この処理は、少なくとも要求日時の特定が必要である。制御部２４は、配信要求格納部３０に格納している付加情報を取得し、付加情報に広告情報要求日時があればその日時を使用する。無ければ、広告接続先情報配信要求Ｓ１を受信した日時を使用する。広告情報管理部３３では、取得した日時から広告提供中または広告提供終了後の任意の時間内の該当する広告を特定し、その広告が有している広告接続先情報を制御部２４は赤外線通信部２３を使用して広告接続先情報を送信する。通信端末１で広告接続先情報配信Ｓ２を赤外線通信部８で受信する（Ｓ２１）。
【０１５０】
受信した広告接続先情報は、制御部９により広告接続先情報格納部１７に格納する（Ｓ２２）。制御部９は、広告接続先情報格納部１７から広告接続先情報が広告インデックス付きかどうかを判断する（Ｓ２３）。広告インデックスが無い場合で、広告接続先情報を取得後、接続設定が自動接続の場合（Ｓ２４）は、通信部１０を使用して広告情報配信支援装置３に広告情報配信要求Ｓ３を行う（Ｓ２５）。
【０１５１】
また、広告インデックスが無い場合で、広告接続先情報を取得後、接続設定が手動接続の場合（Ｓ２４）、受信者は、表示の有無を確認後（Ｓ３７）、広告接続先情報を表示する（Ｓ３８）。
【０１５２】
さらに、広告インデックス付きの場合は、広告インデックスを表示する（Ｓ３４）。操作部１５の操作により広告インデックスから１つの広告を表示選択する（Ｓ３５）。選択した広告の広告接続先情報が既に広告接続先情報格納部１７に有る場合（Ｓ３６）、受信者は、表示の有無を確認後（Ｓ３７）、広告接続先情報を表示する（Ｓ３８）。また、選択した広告の広告接続先情報が既に広告接続先情報格納部１７に無い場合は（Ｓ３６）、Ｓ２１から始まる一連の操作で、選択した広告の広告接続先情報を取得する。
【０１５３】
受信者は、閲覧中の広告接続先情報のより詳しい情報をその広告接続先情報を使用することによって可能である。広告接続先情報の表示中に操作部１５の操作により通信部１０を使用して広告情報配信支援装置３に広告情報配信要求Ｓ３を行う（Ｓ２５）。この操作条件では、上記のように接続しても良いし、再度、広告接続先情報の閲覧（表示）を行っても良いし（Ｓ４０）、そのまま表示終了して一連の操作を広告接続先情報取得のみで終了しても良い（Ｓ３３）。
【０１５４】
広告情報配信要求Ｓ３は、広告情報配信支援装置３の通信部３８で受信する。制御部３９は、広告情報配信要求Ｓ３により取得した広告接続先情報を配信要求格納部４２に格納する（Ｓ２６）。
【０１５５】
次に、制御部３９は、広告情報配信支援サービス利用申請がなされているかを配信要求格納部４２に格納した広告接続先情報が有している認証ＩＤなどの照合情報を取得し、認証情報管理部４０に問い合わせる。認証情報管理部４０では、その照合情報と認証情報格納部４１に格納されている認証ＩＤなどの登録情報とを照合し、一致するかどうかを確認する（Ｓ２７）。
【０１５６】
認証が成立した場合は、認証情報管理部４０は、サービス継続可能として制御部３９へ処理を返す。制御部３９は、配信要求格納部４２に格納されている広告接続先情報が有している広告接続先アドレスを基に、その広告接続先アドレスが示す広告情報配信装置４に対して広告情報配信指示Ｓ４を通信部３８より送信する。この広告情報配信指示Ｓ４で広告情報配信装置４に引き継がれる情報としては、通信端末１への配信先アドレスなどがある。また、広告情報配信指示Ｓ４後に、広告情報配信履歴格納部５０に広告情報配信指示を実施したことを記録する。
【０１５７】
広告情報配信装置４の制御部６２は、広告情報配信指示Ｓ４を通信部６１で受信するとその受信情報を配信指示格納部６４に格納する。次に、制御部６２は、配信指示格納部６４に格納した受信情報を基に、広告情報管理部６３に受信情報の１つである広告接続先アドレスが示す広告情報を広告情報格納部６５から取得する。さらに、取得した広告情報を受信情報の１つである配信先アドレスを使用して、広告情報配信Ｓ５である広告情報を通信部６１より配信する。通信端末１で広告情報配信Ｓ５を通信部１０で受信する（Ｓ２８）。
【０１５８】
認証が成立しなかった場合は、認証情報管理部４０は、サービス利用申請をこのまま継続して行うかどうか（オンライン申請）を問い合わせることを制御部３９より通信部３８を介して通信端末１の通信部１０で受信し、制御部９は、受信したサービス利用申請プログラムの申請画面を出力制御部１１より表示部１３に表示しる（Ｓ４１）。
【０１５９】
申請する場合は、サービス利用オンライン登録を行う（Ｓ４２）。その結果として、認証情報管理部４０が管理する認証情報格納部４１に通信端末１の認証ＩＤが登録される。また、この申請方法であるオンライン登録では、通信端末１と広告情報配信支援装置３との間で申請プログラムや申請データの送受信が通信部１０と通信部６１で行われる。
【０１６０】
申請しない場合は、このまま広告情報配信要求Ｓ３を継続する／継続しないを受信者に確認させる（Ｓ４３）。継続しない選択では、広告情報配信支援装置３との接続を解除し終了する（Ｓ４４）。継続する選択では、その選択結果を受けて広告配信支援装置３の制御部３９は、認証確認であるＳ２７を再度実行する。
【０１６１】
広告情報配信Ｓ５を通信部１０で受信した通信端末１の制御部９は、広告情報を広告情報格納部２０に格納し（Ｓ２９）、広告情報配信支援装置３との接続を解除する（Ｓ３０）。
【０１６２】
通信端末１の動作設定によるが、広告情報の配信後直ぐに閲覧を実行する設定（Ｓ３１）となっている場合は、制御部９は、広告情報格納部２０に格納されている広告情報を出力情報管理部１８より取得し、出力制御部１１を介して表示部１３および音声出力部１４へ出力する（Ｓ３２）。出力情報管理部１８では、通信端末１の出力制御部１１を介して再生出力が可能なように広告情報を加工するなどしても良い。また、広告情報の閲覧に関するフローチャートは説明していないが、広告情報に応じて出力制御部１１および入力制御部１２を利用して閲覧操作は可能であり、さらに、任意のタイミングで一連の操作を終了することができる。
【０１６３】
図７は、図６で説明した通信端末１での操作の流れを、通信端末１の表示画面の概観図を用いて説明する。
【０１６４】
情報提供装置２である街頭テレビ８０では、複数のテレビＣＭが３０分の１セットとなってリピート放映されている。その街頭テレビ８０には、赤外線通信機能があり、その送受信ポートが通信ポート８１とする。
【０１６５】
受信者は、その街頭テレビ８０で放映されている「Ｂ化粧品の５０％セール」のコマーシャルに興味を持ち、赤外線通信部機能を備えている通信端末１である携帯電話８２を用いて、通信ポート８１に対して広告接続先情報取得操作である広告接続先情報配信要求Ｓ１を実行する。
【０１６６】
広告接続先情報配信要求Ｓ１を受信した街頭テレビ８０は、広告接続先情報配信要求Ｓ１で付加された付加情報の広告情報要求日時を基に、その時刻に放映したコマーシャルを特定し、そのコマーシャルの広告接続先情報と広告インデックスを通信ポート８１より携帯電話８２に広告接続先情報配信Ｓ２を実行する。
【０１６７】
広告接続先情報配信Ｓ２を受信した携帯電話８２では、広告接続先情報が広告インデックス付きであることから、画面表示８３のように「Ｂ化粧品の５０％セール」のインデックスがアクティブとなって表示される。このまま広告接続先情報の内容を確認することも出来るが、ここではこの状態で広告情報取得操作である広告情報配信要求Ｓ３を実行する。
【０１６８】
広告情報配信要求Ｓ３を受信した広告情報配信支援装置３では、認証ＩＤの確認後、広告接続先情報が示す広告情報配信装置４に対して広告情報配信指示Ｓ４を実行する。
【０１６９】
次に、広告情報配信指示Ｓ４を受信した広告情報配信装置４は、広告情報配信指示Ｓ４での受信情報である配信先アドレスおよび広告接続先アドレスなどを用いて広告情報を携帯端末８２に配信する。
【０１７０】
広告情報を受信した通信端末８２は、画面表示８４のように広告情報を閲覧表示する。この例の広告情報は、情報提供装置２で放映した広告がそのまま閲覧できる情報を有しているものであり、情報提供装置２で視聴したコマーシャルが再度視聴できることを示している。
【０１７１】
（第２の実施の形態）
第２の実施の形態を図８から図１３を用いて説明する。図８は、第２の実施の形態の広告情報配信支援システムの全体を示したブロック図である。図９は、図８の広告情報配信支援システムにおける通信端末１と広告情報配信支援装置３と位置情報取得装置７の構成の一例のブロック図である。図１０は、図８の広告情報配信支援システムにおける位置情報サービスにより取得した通信端末１の位置情報より情報提供装置２を特定することを特徴とした広告情報配信支援システムの各装置とその処理の流れを示した概要図である。図１１は、図８の広告情報配信支援システムの動作説明に用いるフローチャートである。図１２は、図１１のＢ１に関するフローチャートである。図１３は、本発明の広告情報配信支援装置内のロジック：Ｄ１に関するフローチャートである。
【０１７２】
第１の実施の形態との違いは、第１の実施の形態が広告接続先情報を情報提供装置２から取得したのに対して、第２の実施の形態は、位置情報取得装置７を利用して通信端末１の位置情報を取得し、その位置情報を用いて広告情報配信支援装置３より広告接続先情報を取得することにある。また、この位置情報に関する機能が通信端末１に無くとも良いことが特徴とする広告情報配信支援システムである。
【０１７３】
図８を用いて、第２の実施の形態の広告情報配信支援システムを構成する装置の説明をする。
【０１７４】
図８で示す広告情報配信支援システムの主な構成要素は、受信者が広告情報および広告情報に接続するための広告接続先情報を受信するための通信端末１と、広告接続先情報を受信者に提供可能な情報提供装置２と、情報提供装置２を特定するための位置情報取得装置７と、広告接続先情報を基に広告情報の配信指示を行う広告情報配信支援装置３と、広告情報を配信する広告情報配信装置４と、通信端末１の無線通信を可能とする基地局５と、インターネット通信網６となっている。
【０１７５】
通信端末１、広告情報配信支援装置３、広告情報配信装置４、基地局５は、インターネット通信網６上に配置する。情報提供装置２と位置情報取得装置７は、インターネット通信網６上に配置してもしなくとも良い。ここでは、情報提供装置２はインターネット通信網６上に配置しないとして、位置情報取得装置７はインターネット通信網６上に配置するとして説明する。
【０１７６】
インターネット通信網６は、第１の実施の形態と同様であるので重複した説明は省略する。
【０１７７】
通信端末１と情報提供装置２の間には、第１の実施の形態と同様であっても良いが同様で無くとも良い。また、どちらかに第１の実施の形態で説明したインターネット通信網６とは異なる通信手段または通信網での情報の送受信が可能な仕組みがない場合の組み合わせでも良い。ここでは、通信端末１と情報提供装置２との間に通信手段がないとして説明する。
【０１７８】
情報提供装置２は、広告を提供する媒体を指している。本実施の形態では、第１の実施の形態で説明した情報提供装置または情報補完装置を有している／有していないに関係がないことを特徴とする。例えば、情報補完装置を持たない中吊り広告や広告ポスターなどもこれに該当する。ここで、「提供」とは、受信者に視覚的および聴覚的に広告情報を認知させる行為をいう。
【０１７９】
よって、上記で説明したように、中吊り広告などの紙で代表的な広告媒体または情報媒体の形態も含まれることから、特に、第２の実施の形態での情報提供装置２の構成は、規定しないものとする。
【０１８０】
さらに、広告情報配信支援システムとしての特徴である広告接続先情報の配信要求履歴を格納する広告接続先情報配信履歴格納部３１があっても良い。さらに、広告情報や広告接続先情報をオンラインで更新する場合、広告接続先情報配信履歴格納部３１に格納している配信要求履歴を広告情報配信支援装置３に送信する場合や通信端末１から受信した広告接続先情報の配信要求で指定された広告接続先情報を通信端末１ではなく広告情報配信支援装置３へ送信する場合などに必要なインターネット通信網６に接続するための通信部２５があっても良い。
【０１８１】
広告情報配信装置４は、第１の実施の形態と同様であるので重複した説明は省略する。
【０１８２】
図９を用いて、図１の通信端末１と広告情報配信支援装置３と位置情報取得装置７の構成の一例の説明をする。
【０１８３】
通信端末１は、情報提供装置２で提供される広告を広告接続先情報または広告情報として閲覧を可能とする携帯電話、携帯端末やその他のインターネット接続機器などである。
【０１８４】
本実施の形態での通信端末１の構成は、広告情報および広告接続先情報を表示する表示部１３または音声を出力する音声出力部１４のうち少なくとも１つと、それらを制御する出力制御部１１と、広告接続先情報などの内容をキーやタッチペンなどを使用して選択操作することを可能とする操作部１５と、それを制御する入力制御部１２と、その配信要求の際に通信端末１の電話番号などを付加する場合の付加情報を格納しておく付加情報格納部１６と、情報提供装置２より配信された広告接続先情報を保持する広告接続先情報格納部１７と、インターネット通信網６に接続する通信部１０と、広告接続先情報を基に配信される広告情報を格納する広告情報格納部２０と、広告情報の再生時間などを管理する出力情報管理部１８と、これらの処理を可能とする制御部９とを備えている。また、情報提供装置と広告接続先情報の配信要求や広告接続先情報の受信などを可能とする赤外線通信部８があっても良い。さらに、位置情報を取得できるＧＰＳや電子コンパスなどの機能を有した位置情報検出部があっても良い。
【０１８５】
また、通信端末１と情報提供装置２との間で同期表示を実現する一例とする同期情報を格納する同期情報格納部１９と、通信端末１内で管理している時間情報を標準時間によって定期的に補正する信号を受信するための標準時間受信部２２と、その受信情報を任意の期間保存する標準時間保持部２１とを備えていても良い。同期表示については、第７の実施の形態で説明する。
【０１８６】
広告情報配信支援装置３は、第１の実施の形態の機能は全て有している。よって、重複した機能の説明は省略する。
【０１８７】
広告情報配信支援装置３は、通信端末１からの広告接続先情報配信要求を受信する際、その広告接続先情報配信要求が通信端末１の位置情報付きかどうかを判断する。位置情報付きの場合は、その位置情報から情報提供装置２を特定する。位置情報付きに関しては、第３の実施の形態で説明する。
【０１８８】
位置情報付きでなかった場合は、通信端末１の位置情報を取得するために位置情報取得装置７に対して通信端末１の位置情報取得要求を行い、位置情報を取得する。その位置情報により情報提供装置２を特定する。
【０１８９】
さらに、通信端末１の位置情報から特定した情報提供装置２の広告接続先情報を特定し、通信端末１へ広告接続先情報を配信する。
【０１９０】
このことから、広告情報配信支援装置３は、少なくとも広告接続先情報配信、広告情報配信指示や位置情報取得要求などを行うためのインターネット通信網６に接続するための通信部３８と、広告接続先情報配信要求で示される位置情報など格納する位置情報格納部４３と、情報提供装置２とそれに関連する広告接続先情報を格納している情報提供装置情報格納部４７と、位置情報格納部４３からの情報と情報提供装置情報格納部４７からの情報を基に広告接続先情報を特定する機能が付加された情報提供装置情報管理部４５と、これらの処理を可能とする制御部３９とを備えている。また、上記で示した装置部以外で、図３で説明した装置部のいくつかまたは全てを有した広告情報配信支援装置３であっても良い。
【０１９１】
位置情報取得装置７は、通信端末１の位置情報を検出し位置情報として情報配信することが可能な装置である。但し、本装置が想定する機能は、本実施の形態の広告情報配信支援システムが備えていなくとも良い。位置情報を提供するサービスを利用しても良いし、また、位置情報を検出する機能を広告情報配信支援装置３に組み込んでも良い。
【０１９２】
図１０を用いて、図８の広告情報配信支援システムにおける各装置とその処理の流れを説明する。
【０１９３】
受信者は、情報提供装置２が提供する広告を視聴している。視聴している広告に興味を持った場合に、本実施の形態では、通信端末１の位置情報を用いて広告情報配信支援システムを介して視聴している広告またはその広告関連情報を入手することができる。ここでの広告または広告関連情報を広告情報とする。
【０１９４】
受信者は、視聴している広告を視聴している間、またはその広告提供終了後、任意の時間までに広告情報配信支援装置３に対して通信端末１から広告接続先情報配信要求Ｓ１を行う。
【０１９５】
次に、広告情報配信支援装置３は、広告接続先情報配信要求Ｓ１を受信後、この広告接続先情報配信要求Ｓ１が位置情報付きかどうかを確認する。本実施の形態では、広告接続先情報配信要求Ｓ１が位置情報付きでない場合を示している。ここで、「広告接続先情報配信要求Ｓ１が位置情報付き」としているが、この配信要求では、位置情報以外に、広告情報配信先アドレス（ＩＰアドレス、電話番号、ＭａｉｌアドレスやユーザＩＤなど）、広告情報要求日時、同期表示属性（非同期コンテンツに同時性を持たせることが可能な機能の情報）、広告情報配信単位指定（広告インデックスリスト付き／広告情報量の選択／データの種別など）や広告制御情報（広告管理Ｎｏ．やコンポーネント数など）や認証情報（認証ＩＤと認証パスワード）などがある。
【０１９６】
通信端末１の位置情報を取得するために位置情報取得装置７に位置情報取得要求Ｓ１０を行う。位置情報取得装置７では、通信端末１の位置情報を検出する。広告情報配信支援装置３は、位置情報取得装置７から位置情報取得Ｓ１１である位置情報を取得する。
【０１９７】
さらに、取得した位置情報より通信端末１に近似している場所にある広告情報配信支援装置３に登録されている情報提供装置２を検索する。検索結果が１つの場合と１つに特定できない複数の場合とがある。
【０１９８】
まず、検索結果が１つに特定できる場合は、その情報提供装置２で指定の時間に広告提供中または広告提供終了後の任意の時間内の該当する広告を特定し、その特定した広告の広告接続先情報を通信端末１に対して配信する（広告接続先情報配信Ｓ２）。すると、通信端末１では、広告接続先情報が受信され保持される。ここで、「指定の時間」とは、広告接続先情報配信要求Ｓ１で設定される広告情報要求日時のことである。また、広告情報要求日時が設定されていない場合は、広告接続先情報配信要求Ｓ１を受信した時間としても良い。
【０１９９】
この場合、広告接続先情報は、指定の時間によって１つに特定した実施の形態で説明しているが、特定した広告接続先情報を優先的に扱うとする１つ以上の広告接続先情報であっても良い。また、１つ以上の広告接続先情報とそれらの広告接続先情報のインデックス（広告インデックス）をまとめた広告インデックスリストを付加したものであっても良い。ここで、広告インデックスとは、特定した広告とその前後の広告を任意の個数選定し、それらの広告接続先情報の簡易情報（広告主、広告対象コード、ＵＲＬなど）を通信端末１で一覧表示による閲覧が可能な情報のことである。
【０２００】
次に、検索結果が１つに特定できない複数の場合は、それぞれの情報提供装置２で、上記で説明した指定の時間に広告提供中または広告提供終了後の任意の時間内の該当する広告を特定し、その特定した広告の広告接続先情報をそれぞれの情報提供装置２と関連付け、それらの情報提供装置のインデックスをまとめた情報提供装置インデックスを付加したものを通信端末１に対して配信する（広告接続先情報配信Ｓ２）。すると、通信端末１では、広告接続先情報が受信され保持される。
【０２０１】
通信端末１に表示部１３がある場合には、その情報提供装置インデックスが表示される。受信者の選択操作によりその情報提供装置インデックスの中から情報提供装置２が選択できる。選択した情報提供装置２から広告接続先情報が特定できる。
【０２０２】
この場合も、広告接続先情報は、指定の時間によって１つに特定した実施の形態で説明しているが、特定した広告接続先情報を優先的に扱うとする１つ以上の広告接続先情報であっても良い。また、１つ以上の広告接続先情報とそれらの広告接続先情報のインデックス（広告インデックス）をまとめた広告インデックスリストを付加したものであっても良い。
【０２０３】
次に、受信者は、通信端末１に保持された広告接続先情報を閲覧する。閲覧により特定の広告接続先情報を選択し、その広告接続先情報を使用して広告情報を取得する。その取得手続きは、通信端末１は、広告情報配信支援装置３に広告情報の配信要求を上記の一連の流れで保持された広告接続先情報付きで行う（広告情報配信要求Ｓ３）。また、保持された広告接続先情報が１つの場合は、閲覧なしの自動的な広告情報の配信要求を行っても良い。
【０２０４】
その配信要求を受けた広告情報配信支援装置３は、その要求が広告接続先情報付きであることを確認した上で、広告接続先情報が有している広告接続先アドレスを基に、その広告接続先アドレスが示す広告情報配信装置４に対して広告情報配信指示Ｓ４を行う。この広告情報配信指示Ｓ４で広告情報配信装置４に引き継がれる情報としては、通信端末１への配信先アドレスなどがある。
【０２０５】
通信端末１への配信先アドレスは、広告情報配信支援装置３が通信端末１からの配信要求を受信した時点で取得できるＩＰアドレスや電話番号などを用いるか、広告接続先情報が有している広告情報配信先アドレスを用いる。また、広告接続先情報が有している広告識別子や情報提供装置識別子を、広告情報配信指示で広告情報配信装置４に引き継がれる情報に付加しても良い。
【０２０６】
広告情報配信指示Ｓ４を受けた広告情報配信装置４は、広告情報配信指示Ｓ４で引き渡された情報を基に通信端末１に対して指定された広告情報を配信する（広告情報配信Ｓ５）。通信端末１では、配信された広告情報の閲覧が可能となる。
【０２０７】
また、広告情報配信支援サービス利用申請Ｓ６を事前申請やサービス利用対象者でない受信者からの広告情報取得要求を受信した時点でオンライン登録させるなどのサービス利用申請に関する幾つかの申請方法により登録されたサービス利用対象者の運営管理を行う広告情報配信支援装置３を備えているとともに、そのサービス利用認証手段を提供することにある。
【０２０８】
さらに、広告情報配信装置４で収集する広告情報配信履歴を広告情報配信支援装置３が行う広告情報配信履歴取得Ｓ７とする手段を提供している。
【０２０９】
第２の実施の形態は、第１の実施の形態と同様の効果がある。すなわち、図５を用いて説明した広告情報配信支援システムの装置とその装置部が提供するシステムサービスは同様であり、重複するため第２の実施の形態のサービスを機能としての説明は省略する。
【０２１０】
図１１から図１３を用いて、図１０で説明した一連の流れを通信端末１での操作の流れで説明する。また、図９で示した装置部を示して説明する。
【０２１１】
受信者は、広告を取得するために、視聴している広告を視聴している間、またはその広告提供終了後に、任意の時間までに情報提供装置２に対して操作部１５の任意の操作ボタンまたは表示画面上のボタンなどを押下する（Ｓ４９）。
【０２１２】
操作部１５からの信号は、入力制御部１２で検出し制御部９へ選択信号として解釈される。次のステップでは、Ａ１からの処理合流があるため広告接続先情報が通信端末１に保存されているかどうかを判断する分岐がある（Ｓ５０）。通信端末１では、複数の広告接続先情報を保存ができる広告接続先情報格納部１７を有しているため、その格納部に広告接続先情報が存在する場合、その広告接続先情報を利用して広告情報配信要求Ｓ３を行うかどうかを問い合わせるなどしても良い。
【０２１３】
制御部９では、付加情報付きで広告接続先情報配信要求Ｓ１を実行する設定かどうか付加情報格納部１６の設定を確認する（ここでは、設定されているとして説明するが、設定がされていない付加情報なしでの広告接続先情報配信要求Ｓ１を実行しても良い）。制御部９は、付加情報格納部１６から広告接続先情報配信要求Ｓ１時に付加情報として添付する設定情報を付加情報として取得し、通信部１０を使用して広告情報配信支援装置３に広告接続先情報配信要求Ｓ１を行う（Ｓ５１）。
【０２１４】
広告情報配信支援装置３の通信部３８で広告接続先情報配信要求Ｓ１は受信され、制御部３９により配信要求格納部４２に格納される。次に、制御部３９はＤ１を実行する（Ｓ５２）。
【０２１５】
Ｄ１については、図１３を用いて説明する。
【０２１６】
制御部３９は、配信要求格納部４２に格納している付加情報を取得し、付加情報が有している位置情報に値があるかどうかを確認する（Ｓ９０）。次に、その位置情報に値が無ければ、配信先アドレスを用いて、通信端末１の位置情報を取得するために通信部３８を使用して、位置情報取得装置７に位置情報取得要求Ｓ１０を行い、通信端末１の位置情報の取得を問い合わせる。ここで、「配信先アドレス」とは、広告情報配信支援装置３が通信端末１からの広告接続先情報配信要求Ｓ１を受信した時点で取得できるＩＰアドレスや電話番号などを用いるか、付加情報が有している広告情報配信先アドレスを用いる。
【０２１７】
また、位置情報に値がある場合は、その位置情報を用いて、情報提供装置情報管理部４５に広告接続先情報配信要求Ｓ１が要求した広告の特定を処理させる。具体的な説明は、後述とする。
【０２１８】
位置情報取得装置７では、広告情報配信支援装置３からの位置情報取得要求Ｓ１０を受信後、位置情報取得要求Ｓ１０で付加される配信先アドレスを用いて、その配信先アドレスの位置情報を検出する。広告情報配信支援装置３は、位置情報取得装置７から位置情報取得Ｓ１１である位置情報を取得する（Ｓ９１）。
【０２１９】
広告情報配信支援装置３の通信部３８で位置情報取得Ｓ１１を受信され、制御部３９により位置情報格納部４３に格納される。次に、制御部３９は、取得した位置情報を用いて、情報提供装置情報管理部４５に広告接続先情報配信要求Ｓ１が要求した広告の特定を処理させる。具体的に説明すると、情報提供装置情報管理部４５には、広告情報配信支援装置３が管理する１つ以上の情報提供装置２の位置情報などの情報を格納する情報提供装置情報格納部４７を有している。その情報提供装置情報格納部４７の情報提供装置２の位置情報を、通信端末１の位置情報である位置情報取得装置７から取得した位置情報で近似検索を行う（Ｓ９２）。ここで、「近似検索」とは、上記の情報提供装置情報格納部４７に登録されている情報提供装置２の位置情報と上記の通信端末１の位置情報とを比較し、より近くにある情報提供装置２を特定および特定の範囲内にある情報提供装置２を選定することを指す。例えば、通信端末１の位置情報の半径１０ｍ以内に存在する情報提供装置２を全て検索するなどである。また、検索条件について、位置情報以外に情報提供装置２の特徴、例えば、「ポスター」などとする検索キーワードをＡＮＤ条件として加えて行っても良い。
【０２２０】
近似検索の結果が、通信端末１の位置情報の特定の範囲内に情報提供装置２の登録が無く特定できなかった場合は、Ｄ１実行を終了する（Ｓ９３）。
【０２２１】
近似検索の結果が、通信端末１の位置情報の特定の範囲内に情報提供装置２が１つに特定できる場合は（Ｓ９４）、その情報提供装置２で指定の時間に広告提供中または広告提供終了後の任意の時間内の該当する広告を特定し、その特定した広告の広告接続先情報を特定する。ここで、「指定の時間」とは、配信要求格納部４２に格納している付加情報が有している広告情報要求日時のことである。また、広告情報要求日時が設定されていない場合は、広告接続先情報配信要求Ｓ１を受信した時間としても良い。
【０２２２】
この場合、広告接続先情報は、指定の時間によって１つに特定した実施の形態で説明しているが、特定した広告接続先情報を優先的に扱うとする１つ以上の広告接続先情報であっても良い。また、１つ以上の広告接続先情報とそれらの広告接続先情報のインデックス（広告インデックス）をまとめた広告インデックスリストを付加したものであっても良い。ここで、広告インデックスとは、特定した広告とその前後の広告を任意の個数選定し、それらの広告接続先情報の簡易情報（広告主、広告対象コード、ＵＲＬなど）を通信端末１で一覧表示による閲覧が可能な情報のことである。ここでは、情報提供装置情報管理部４５で広告インデックス付きの広告接続先情報を作成（Ｓ９５）し、Ｄ１実行を終了とする。
【０２２３】
次に、近似検索の結果が、通信端末１の位置情報の特定の範囲内に情報提供装置２が１つに特定できない複数の場合は（Ｓ９４）、それぞれの情報提供装置２で、上記で説明した指定の時間に広告提供中または広告提供終了後の任意の時間内の該当する広告を特定し、その特定した広告の広告接続先情報をそれぞれの情報提供装置２と関連付け、それらの情報提供装置のインデックスをまとめた情報提供装置インデックスを作成する（Ｓ９６）。
【０２２４】
この場合、広告接続先情報は、指定の時間によって１つに特定した実施の形態で説明しているが、特定した広告接続先情報を優先的に扱うとする１つ以上の広告接続先情報であっても良い。また、１つ以上の広告接続先情報とそれらの広告接続先情報のインデックス（広告インデックス）をまとめた広告インデックスリストを付加したものであっても良い。ここで、広告インデックスとは、特定した広告とその前後の広告を任意の個数選定し、それらの広告接続先情報の簡易情報（広告主、広告対象コード、ＵＲＬなど）を通信端末１で一覧表示による閲覧が可能な情報のことである。ここでは、情報提供装置情報管理部４５で情報提供装置インデックスに設定された広告接続先情報は、全て広告インデックス付きの広告接続先情報であるとして作成（Ｓ９７）し、Ｄ１実行を終了とする。
【０２２５】
制御部３９は、Ｄ１実行の結果を、通信部３８を使用して通信端末１に対して配信する（広告接続先情報配信Ｓ２）。すると、通信端末１では、広告接続先情報配信Ｓ２を通信部１０で受信する（Ｓ５３）。
【０２２６】
広告接続先情報配信Ｓ２を通信部１０で受信した通信端末１の制御部９は、広告接続先情報が１つ以上あることを確認（Ｓ５４）する。広告接続先情報が１つ以上あればＢ１へ遷移する。無ければ、広告情報配信支援装置３との接続を解除し、処理を終了する。
【０２２７】
Ｂ１については、図１２を用いて説明する。
【０２２８】
制御部９は、広告接続先情報を広告接続先情報格納部１７に格納する（Ｓ７０）。次に、広告接続先情報格納部１７に格納した広告接続先情報が通信端末１の近似にある情報提供装置２が１つに特定できない場合に広告情報配信支援装置３で作成される情報提供装置の候補リストである情報提供装置インデックス付きであるかどうかを判断する（Ｓ７１）。
【０２２９】
情報提供装置インデックス付きの場合は、情報提供装置インデックスを表示する。操作部１５の操作により情報提供装置インデックスから１つの情報提供装置２を表示選択する（Ｓ７２）。次に、その情報提供装置２が広告インデックス付きかどうかを判断する（Ｓ７３）。
【０２３０】
情報提供装置インデックスが無い場合は、情報提供装置２が１つに特定できたことを表しており、次に、その情報提供装置２が広告インデックス付きかどうかを判断する（Ｓ７３）。
【０２３１】
広告インデックスが無い場合で、広告接続先情報を取得後、接続設定が自動接続の場合（Ｓ７４）は、Ａ１へ遷移する（図１１からのＢ１実行によるＡ１遷移は、図１１のＡ１であり、図１７からのＢ１実行によるＡ１遷移は、図１７のＡ１である）。
【０２３２】
また、広告インデックスが無い場合で、広告接続先情報を取得後、接続設定が手動接続の場合（Ｓ７４）、受信者は、表示の有無を確認後（Ｓ７５）、広告接続先情報を表示する（Ｓ７６）。
【０２３３】
受信者は、閲覧中の広告接続先情報のより詳しい情報をその広告接続先情報を使用することによって可能である。広告接続先情報の表示中に操作部１５の操作により接続できる（Ｓ７７）。接続する場合は、Ａ１へ遷移する（図１１からのＢ１実行によるＡ１遷移は、図１１のＡ１であり、図１７からのＢ１実行によるＡ１遷移は、図１７のＡ１である）。
【０２３４】
また、この操作条件では、上記のように接続しても良いし、再度、広告接続先情報の閲覧（表示）を行っても良いし（Ｓ７８）、広告接続先情報の表示を終了してＣ１へ遷移して情報提供装置の選択（Ｓ７２）を行っても良い。また、そのまま表示終了して一連の操作を広告接続先情報取得のみで終了しても良い。
【０２３５】
広告インデックス付きの場合は、広告インデックスを表示する（Ｓ７９）。操作部１５の操作により広告インデックスから１つの広告を表示選択する（Ｓ８０）。選択した広告の広告接続先情報を表示する（Ｓ８１）。
【０２３６】
受信者は、閲覧中の広告接続先情報のより詳しい情報をその広告接続先情報を使用することによって可能である。広告接続先情報の表示中に操作部１５の操作により接続できる（Ｓ８２）。接続する場合は、Ａ１へ遷移する（図１１からのＢ１実行によるＡ１遷移は、図１１のＡ１であり、図１７からのＢ１実行によるＡ１遷移は、図１７のＡ１である）。
【０２３７】
また、この操作条件では、上記のように接続しても良いし、再度、広告接続先情報の閲覧（表示）を行っても良いし（Ｓ８３）、広告インデックスの閲覧（表示）を行っても良い（Ｓ８４）。さらに、広告接続先情報の表示を終了してＣ１へ遷移して情報提供装置の選択（Ｓ７２）を行っても良い。また、そのまま表示終了して一連の操作を広告接続先情報取得のみで終了しても良い。
【０２３８】
次に、図１１のＡ１では、広告接続先情報の特定が図１２のＢ１からの一連の処理の流れによってなされているため、すなわち、選択した広告の広告接続先情報が既に広告接続先情報格納部１７に有るため（Ｓ５０）、通信部１０を使用して広告情報配信支援装置３に広告情報配信要求Ｓ３を行う（Ｓ５５）。
【０２３９】
広告情報配信要求Ｓ３は、広告情報配信支援装置３の通信部３８で受信する。制御部３９は、広告情報配信要求Ｓ３により取得した広告接続先情報を配信要求格納部４２に格納する（Ｓ５６）。Ｅ１へ遷移する。
【０２４０】
次に、制御部３９は、広告情報配信支援サービス利用申請がなされているかを配信要求格納部４２に格納されている認証ＩＤなどの照合情報を取得し、認証情報管理部４０に問い合わせる。認証情報管理部４０では、その照合情報と認証情報格納部４１に格納されている認証ＩＤなどの登録情報とを照合し、一致するかどうかを確認する（Ｓ５７）。
【０２４１】
認証が成立した場合は、認証情報管理部４０は、サービス継続可能として制御部３９へ処理を返す。制御部３９は、配信要求格納部４２に格納されている広告接続先情報が有している広告接続先アドレスを基に、その広告接続先アドレスが示す広告情報配信装置４に対して広告情報配信指示Ｓ４を通信部３８より送信する。この広告情報配信指示Ｓ４で広告情報配信装置４に引き継がれる情報としては、通信端末１への配信先アドレスなどがある。また、広告情報配信指示Ｓ４後に、広告情報配信履歴格納部５０に広告情報配信指示を実施したことを記録する。
【０２４２】
広告情報配信装置４の制御部６２は、広告情報配信指示Ｓ４を通信部６１で受信するとその受信情報を配信指示格納部６４に格納する。次に、制御部６２は、配信指示格納部６４に格納した受信情報を基に、広告情報管理部６３に受信情報の１つである広告接続先アドレスが示す広告情報を広告情報格納部６５から取得する。さらに、取得した広告情報を受信情報の１つである配信先アドレスを使用して、広告情報配信Ｓ５である広告情報を通信部６１より配信する。通信端末１で広告情報配信Ｓ５を通信部１０で受信する（Ｓ５８）。
【０２４３】
認証が成立しなかった場合は、認証情報管理部４０は、サービス利用申請をこのまま継続して行うかどうか（オンライン申請）を問い合わせることを制御部３９より通信部３８を介して通信端末１の通信部１０で受信し、制御部９は、受信したサービス利用申請プログラムの申請画面を出力制御部１１より表示部１３に表示しる（Ｓ６４）。
【０２４４】
申請する場合は、サービス利用オンライン登録を行う（Ｓ６５）。その結果として、認証情報管理部４０が管理する認証情報格納部４１に通信端末１の認証ＩＤが登録される。また、この申請方法であるオンライン登録では、通信端末１と広告情報配信支援装置３との間で申請プログラムや申請データの送受信が通信部１０と通信部６１で行われる。
【０２４５】
申請しない場合は、このまま広告情報配信要求Ｓ３を継続する／継続しないを受信者に確認させる（Ｓ６６）。継続しない選択では、広告情報配信支援装置３との接続を解除し終了する（Ｓ６７）。継続する選択では、その選択結果を受けて広告配信支援装置３の制御部３９は、認証確認であるＳ５７を再度実行する。
【０２４６】
広告情報配信Ｓ５を通信部１０で受信した通信端末１の制御部９は、広告情報を広告情報格納部２０に格納し（Ｓ５９）、広告情報配信支援装置３との接続を解除する（Ｓ６０）。
【０２４７】
通信端末１の動作設定によるが、広告情報の配信後直ぐに閲覧を実行する設定（Ｓ６１）となっている場合は、制御部９は、広告情報格納部２０に格納されている広告情報を出力情報管理部１８より取得し、出力制御部１１を介して表示部１３および音声出力部１４へ出力する（Ｓ６２）。出力情報管理部１８では、通信端末１の出力制御部１１を介して再生出力が可能なように広告情報を加工するなどしても良い。
【０２４８】
また、広告情報の閲覧に関するフローチャートは説明していないが、広告情報に応じて出力制御部１１および入力制御部１２を利用して閲覧操作は可能であり、さらに、任意のタイミングで一連の操作を終了することができる（Ｓ６３）。
【０２４９】
（第３の実施の形態）
第３の実施の形態を図１４から図１７を用いて説明する。図１４は、第３の実施の形態の広告情報配信支援システムの全体を示したブロック図である。図１５は、図１４の広告情報配信支援システムにおける通信端末１と広告情報配信支援装置３の構成の一例のブロック図である。図１６は、図１４の広告情報配信支援システムにおける通信端末１で取得できる位置情報で情報提供装置２を特定することを特徴とする各装置とその処理の流れを示した概要図である。図１７は、図１４の広告情報配信支援システムの動作説明に用いるフローチャートである。
【０２５０】
第１の実施の形態との違いは、第１の実施の形態が広告接続先情報を情報提供装置２から取得したのに対して、第３の実施の形態は、通信端末１で取得できる位置情報を用いて広告情報配信支援装置３より広告接続先情報を取得することにある。また、第２の実施の形態で説明した位置情報を取得するための位置情報取得装置７が無くとも良いことが特徴とする広告情報配信支援システムである。
【０２５１】
図１４を用いて、第３の実施の形態の広告情報配信支援システムを構成する装置の説明をする。
【０２５２】
図１４で示す広告情報配信支援システムの主な構成要素は、受信者が広告情報および広告情報に接続するための広告接続先情報を受信するための通信端末１と、広告接続先情報を受信者に提供可能な情報提供装置２と、広告接続先情報を基に広告情報の配信指示を行う広告情報配信支援装置３と、広告情報を配信する広告情報配信装置４と、通信端末１の無線通信を可能とする基地局５と、インターネット通信網６となっている。
【０２５３】
通信端末１、広告情報配信支援装置３、広告情報配信装置４、基地局５は、インターネット通信網６上に配置する。情報提供装置２は、インターネット通信網６上に配置してもしなくとも良い。ここでは、情報提供装置２はインターネット通信網６上に配置しないとして説明する。
【０２５４】
インターネット通信網６は、第１の実施の形態と同様であるので重複した説明は省略する。
【０２５５】
通信端末１と情報提供装置２の間には、第１の実施の形態と同様であっても良いが同様で無くとも良い。また、どちらかに第１の実施の形態で説明したインターネット通信網６とは異なる通信手段または通信網での情報の送受信が可能な仕組みがない場合の組み合わせでも良い。ここでは、通信端末１と情報提供装置２との間に通信手段がないとして説明する。
【０２５６】
情報提供装置２は、広告を提供する媒体を指している。本実施の形態では、第１の実施の形態で説明した情報提供装置または情報補完装置を有している／有していないに関係がないことを特徴とする。例えば、情報補完装置を持たない中吊り広告や広告ポスターなどもこれに該当する。ここで、「提供」とは、受信者に視覚的および聴覚的に広告情報を認知させる行為をいう。
【０２５７】
よって、上記で説明したように、中吊り広告などの紙で代表的な広告媒体または情報媒体の形態も含まれることから、特に、第３の実施の形態での情報提供装置２の構成は、規定しないものとする。
【０２５８】
さらに、広告情報配信支援システムとしての特徴である広告接続先情報の配信要求履歴を格納する広告接続先情報配信履歴格納部３１があっても良い。さらに、広告情報や広告接続先情報をオンラインで更新する場合、広告接続先情報配信履歴格納部３１に格納している配信要求履歴を広告情報配信支援装置３に送信する場合や通信端末１から受信した広告接続先情報の配信要求で指定された広告接続先情報を通信端末１ではなく広告情報配信支援装置３へ送信する場合などに必要なインターネット通信網６に接続するための通信部２５があっても良い。
【０２５９】
広告情報配信装置４は、第１の実施の形態と同様であるので重複した説明は省略する。
【０２６０】
図１５を用いて、図１の通信端末１と広告情報配信支援装置３の構成の一例の説明をする。
【０２６１】
通信端末１は、情報提供装置２で提供される広告を広告接続先情報または広告情報として閲覧を可能とする携帯電話、携帯端末やその他のインターネット接続機器などである。
【０２６２】
本実施の形態での通信端末１の構成は、広告情報および広告接続先情報を表示する表示部１３または音声を出力する音声出力部１４のうち少なくとも１つと、それらを制御する出力制御部１１と、広告接続先情報などの内容をキーやタッチペンなどを使用して選択操作することを可能とする操作部１５と、それを制御する入力制御部１２と、位置情報を取得できるＧＰＳや電子コンパスなどの機能を有した位置情報検出部６２と、その配信要求の際に通信端末１の電話番号などを付加する場合の付加情報を格納しておく付加情報格納部１６と、情報提供装置２より配信された広告接続先情報を保持する広告接続先情報格納部１７と、インターネット通信網６に接続する通信部１０と、広告接続先情報を基に配信される広告情報を格納する広告情報格納部２０と、広告情報の再生時間などを管理する出力情報管理部１８と、これらの処理を可能とする制御部９とを備えている。また、情報提供装置と広告接続先情報の配信要求や広告接続先情報の受信などを可能とする赤外線通信部があっても良い。
【０２６３】
さらに、通信端末１と情報提供装置２との間で同期表示を実現する一例とする同期情報を格納する同期情報格納部１９と、通信端末１内で管理している時間情報を標準時間によって定期的に補正する信号を受信するための標準時間受信部２２と、その受信情報を任意の期間保存する標準時間保持部２１とを備えていても良い。同期表示については、第７の実施の形態で説明する。
【０２６４】
広告情報配信支援装置３は、第１の実施の形態の機能は全て有している。よって、重複した機能の説明は省略する。
【０２６５】
広告情報配信支援装置３は、通信端末１からの広告接続先情報配信要求を受信する際、その広告接続先情報配信要求が通信端末１の位置情報付きかどうかを判断する。位置情報付きの場合は、その位置情報から情報提供装置２を特定する。
【０２６６】
さらに、通信端末１の位置情報から特定した情報提供装置２の広告接続先情報を特定し、通信端末１へ広告接続先情報を配信する。
【０２６７】
このことから、広告情報配信支援装置３は、少なくとも広告接続先情報配信、広告情報配信指示や位置情報取得要求などを行うためのインターネット通信網６に接続するための通信部３８と、広告接続先情報配信要求で示される位置情報など格納する位置情報格納部４３と、情報提供装置２とそれに関連する広告接続先情報を格納している情報提供装置情報格納部４７と、位置情報格納部４３からの情報と情報提供装置情報格納部４７からの情報を基に広告接続先情報を特定する機能が付加された情報提供装置情報管理部４５と、これらの処理を可能とする制御部３９とを備えている。また、上記で示した装置部以外で、図３で説明した装置部のいくつかまたは全てを有した広告情報配信支援装置３であっても良い。
【０２６８】
図１６を用いて、図１４の広告情報配信支援システムにおける各装置とその処理の流れを説明する。
【０２６９】
受信者は、情報提供装置２が提供する広告を視聴している。視聴している広告に興味を持った場合に、本実施の形態では、通信端末１の位置情報を用いて広告情報配信支援システムを介して視聴している広告またはその広告関連情報を入手することができる。ここでの広告または広告関連情報を広告情報とする。
【０２７０】
受信者は、視聴している広告を視聴している間、またはその広告提供終了後、任意の時間までに広告情報配信支援装置３に対して通信端末１から広告接続先情報の配信要求を位置情報付きで行う。
【０２７１】
通信端末１には、内部に位置情報を取得できるＧＰＳや電子コンパスなどの機能を有した位置情報検出部を備えている。または、通信端末１に対しての外部接続としての位置情報検出部６２であっても良い。
【０２７２】
次に、広告情報配信支援装置３は、広告接続先情報配信要求Ｓ１を受信後、この広告接続先情報配信要求Ｓ１が位置情報付きかどうかを確認する。本実施の形態では、広告接続先情報配信要求Ｓ１が位置情報付きである場合を示している。ここで、「広告接続先情報配信要求Ｓ１が位置情報付き」としているが、この配信要求では、位置情報以外に、広告情報配信先アドレス（ＩＰアドレス、電話番号、ＭａｉｌアドレスやユーザＩＤなど）、広告情報要求日時、同期表示属性（非同期コンテンツに同時性を持たせることが可能な機能の情報）、広告情報配信単位指定（広告インデックスリスト付き／広告情報量の選択／データの種別など）、広告制御情報（広告管理Ｎｏ．やコンポーネント数など）や認証情報（認証ＩＤと認証パスワード）などがある。
【０２７３】
その位置情報より通信端末１に近似している場所にある広告情報配信支援装置３に登録されている情報提供装置２を検索する。検索結果が１つの場合と１つに特定できない複数の場合とがある。
【０２７４】
まず、検索結果が１つに特定できる場合は、その情報提供装置２で指定の時間に広告提供中または広告提供終了後の任意の時間内の該当する広告を特定し、その特定した広告の広告接続先情報を通信端末１に対して配信する（広告接続先情報配信Ｓ２）。すると、通信端末１では、広告接続先情報が受信され保持される。ここで、「指定の時間」とは、広告接続先情報配信要求Ｓ１で設定される広告情報要求日時のことである。また、広告情報要求日時が設定されていない場合は、広告接続先情報配信要求Ｓ１を受信した時間としても良い。
【０２７５】
この場合、広告接続先情報は、指定の時間によって１つに特定した実施の形態で説明しているが、特定した広告接続先情報を優先的に扱うとする１つ以上の広告接続先情報であっても良い。また、１つ以上の広告接続先情報とそれらの広告接続先情報のインデックス（広告インデックス）をまとめた広告インデックスリストを付加したものであっても良い。ここで、広告インデックスとは、特定した広告とその前後の広告を任意の個数選定し、それらの広告接続先情報の簡易情報（広告主、広告対象コード、ＵＲＬなど）を通信端末１で一覧表示による閲覧が可能な情報のことである。
【０２７６】
次に、検索結果が１つに特定できない複数の場合は、それぞれの情報提供装置２で、上記で説明した指定の時間に広告提供中または広告提供終了後の任意の時間内の該当する広告を特定し、その特定した広告の広告接続先情報をそれぞれの情報提供装置２と関連付け、それらの情報提供装置のインデックスをまとめた情報提供装置インデックスを付加したものを通信端末１に対して配信する（広告接続先情報配信Ｓ２）。すると、通信端末１では、広告接続先情報が受信され保持される。
【０２７７】
通信端末１に表示部１３がある場合には、その情報提供装置インデックスが表示される。受信者の選択操作によりその情報提供装置インデックスの中から情報提供装置２が選択できる。選択した情報提供装置２から広告接続先情報が特定できる。
【０２７８】
この場合も、広告接続先情報は、指定の時間によって１つに特定した実施の形態で説明しているが、特定した広告接続先情報を優先的に扱うとする１つ以上の広告接続先情報であっても良い。また、１つ以上の広告接続先情報とそれらの広告接続先情報のインデックス（広告インデックス）をまとめた広告インデックスリストを付加したものであっても良い。
【０２７９】
通信端末１は、広告情報配信支援装置３に広告情報の配信要求を上記の一連の流れで保持された広告接続先情報付きで行う（広告情報配信要求Ｓ３）。その配信要求を受けた広告情報配信支援装置３は、その要求が広告接続先情報付きであることを確認した上で、広告接続先情報が有している広告接続先アドレスを基に、その広告接続先アドレスが示す広告情報配信装置４に対して広告情報配信指示Ｓ４を行う。この広告情報配信指示Ｓ４で広告情報配信装置４に引き継がれる情報としては、通信端末１への配信先アドレスなどがある。
【０２８０】
通信端末１への配信先アドレスは、広告情報配信支援装置３が通信端末１からの配信要求を受信した時点で取得できるＩＰアドレスや電話番号などを用いるか、広告接続先情報が有している広告情報配信先アドレスを用いる。また、広告接続先情報が有している広告識別子や情報提供装置識別子を、広告情報配信指示で広告情報配信装置４に引き継がれる情報に付加しても良い。
【０２８１】
広告情報配信指示Ｓ４を受けた広告情報配信装置４は、広告情報配信指示Ｓ４で引き渡された情報を基に通信端末１に対して指定された広告情報を配信する（広告情報配信Ｓ５）。通信端末１では、配信された広告情報の閲覧が可能となる。
【０２８２】
また、広告情報配信支援サービス利用申請Ｓ６を事前申請やサービス利用対象者でない受信者からの広告情報取得要求を受信した時点でオンライン登録させるなどのサービス利用申請に関する幾つかの申請方法により登録されたサービス利用対象者の運営管理を行う広告情報配信支援装置３を備えているとともに、そのサービス利用認証手段を提供することにある。
【０２８３】
さらに、広告情報配信装置４で収集する広告情報配信履歴を広告情報配信支援装置３が行う広告情報配信履歴取得Ｓ７とする手段を提供している。
【０２８４】
第３の実施の形態は、第１の実施の形態と同様の効果がある。すなわち、図５を用いて説明した広告情報配信支援システムの装置とその装置部が提供するシステムサービスは同様であり、重複するため第３の実施の形態のサービスを機能としての説明は省略する。
【０２８５】
図１７と用いて、図１６で説明した一連の流れを通信端末１での操作の流れで説明する。また、図１５で示した装置部を示して説明する。
【０２８６】
受信者は、広告を取得するために、視聴している広告を視聴している間、またはその広告提供終了後に、任意の時間までに情報提供装置２に対して操作部１５の任意の操作ボタンまたは表示画面上のボタンなどを押下する（Ｓ９９）。
【０２８７】
操作部１５からの信号は、入力制御部１２で検出し制御部９へ選択信号として解釈される。次のステップでは、Ａ１からの処理合流があるため広告接続先情報が通信端末１に保存されているかどうかを判断する分岐がある（Ｓ１００）。通信端末１では、複数の広告接続先情報を保存ができる広告接続先情報格納部１７を有しているため、その格納部に広告接続先情報が存在する場合、その広告接続先情報を利用して広告情報配信要求Ｓ３を行うかどうかを問い合わせるなどしても良い。
【０２８８】
制御部９は、位置情報検出部６２を用いて通信端末１の位置情報を取得し（Ｓ１０１）、その情報を付加情報格納部１６に格納する。
【０２８９】
次に、制御部９は、付加情報格納部１６から広告接続先情報配信要求Ｓ１時に付加情報として添付する設定情報を付加情報として取得し、通信部１０を使用して広告情報配信支援装置３に広告接続先情報配信要求Ｓ１を行う（Ｓ１０２）。
【０２９０】
広告情報配信支援装置３の通信部３８で広告接続先情報配信要求Ｓ１は受信され、制御部３９により配信要求格納部４２に格納される。次に、制御部３９はＤ１を実行する（Ｓ１０３）。Ｄ１については、図１３で説明している。
【０２９１】
制御部３９は、Ｄ１実行の結果を、通信部３８を使用して通信端末１に対して配信する（広告接続先情報配信Ｓ２）。すると、通信端末１では、広告接続先情報配信Ｓ２を通信部１０で受信する（Ｓ１０４）。
【０２９２】
広告接続先情報配信Ｓ２を通信部１０で受信した通信端末１の制御部９は、広告接続先情報が１つ以上あることを確認（Ｓ１０５）する。広告接続先情報が１つ以上あればＢ１へ遷移する。無ければ、広告情報配信支援装置３との接続を解除し、処理を終了する。Ｂ１については、図１２で説明している。
【０２９３】
次に、図１７のＡ１では、広告接続先情報の特定が図１２のＢ１からの一連の処理の流れによってなされているため、すなわち、選択した広告の広告接続先情報が既に広告接続先情報格納部１７に有るため（Ｓ１００）、通信部１０を使用して広告情報配信支援装置３に広告情報配信要求Ｓ３を行う（Ｓ１０６）。
【０２９４】
広告情報配信要求Ｓ３は、広告情報配信支援装置３の通信部３８で受信する。制御部３９は、広告情報配信要求Ｓ３により取得した広告接続先情報を配信要求格納部４２に格納する（Ｓ１０７）。Ｅ１へ遷移する。
【０２９５】
次に、制御部３９は、広告情報配信支援サービス利用申請がなされているかを配信要求格納部４２に格納されている認証ＩＤなどの照合情報を取得し、認証情報管理部４０に問い合わせる。認証情報管理部４０では、その照合情報と認証情報格納部４１に格納されている認証ＩＤなどの登録情報とを照合し、一致するかどうかを確認する（Ｓ１０８）。
【０２９６】
認証が成立した場合は、認証情報管理部４０は、サービス継続可能として制御部３９へ処理を返す。制御部３９は、配信要求格納部４２に格納されている広告接続先情報が有している広告接続先アドレスを基に、その広告接続先アドレスが示す広告情報配信装置４に対して広告情報配信指示Ｓ４を通信部３８より送信する。この広告情報配信指示Ｓ４で広告情報配信装置４に引き継がれる情報としては、通信端末１への配信先アドレスなどがある。また、広告情報配信指示Ｓ４後に、広告情報配信履歴格納部５０に広告情報配信指示を実施したことを記録する。
【０２９７】
広告情報配信装置４の制御部６２は、広告情報配信指示Ｓ４を通信部６１で受信するとその受信情報を配信指示格納部６４に格納する。次に、制御部６２は、配信指示格納部６４に格納した受信情報を基に、広告情報管理部６３に受信情報の１つである広告接続先アドレスが示す広告情報を広告情報格納部６５から取得する。さらに、取得した広告情報を受信情報の１つである配信先アドレスを使用して、広告情報配信Ｓ５である広告情報を通信部６１より配信する。通信端末１で広告情報配信Ｓ５を通信部１０で受信する（Ｓ１０９）。
【０２９８】
認証が成立しなかった場合は、認証情報管理部４０は、サービス利用申請をこのまま継続して行うかどうか（オンライン申請）を問い合わせることを制御部３９より通信部３８を介して通信端末１の通信部１０で受信し、制御部９は、受信したサービス利用申請プログラムの申請画面を出力制御部１１より表示部１３に表示しる（Ｓ１１５）。
【０２９９】
申請する場合は、サービス利用オンライン登録を行う（Ｓ１１６）。その結果として、認証情報管理部４０が管理する認証情報格納部４１に通信端末１の認証ＩＤが登録される。また、この申請方法であるオンライン登録では、通信端末１と広告情報配信支援装置３との間で申請プログラムや申請データの送受信が通信部１０と通信部６１で行われる。
【０３００】
申請しない場合は、このまま広告情報配信要求Ｓ３を継続する／継続しないを受信者に確認させる（Ｓ１１７）。継続しない選択では、広告情報配信支援装置３との接続を解除し終了する（Ｓ１１８）。継続する選択では、その選択結果を受けて広告配信支援装置３の制御部３９は、認証確認であるＳ１０８を再度実行する。
【０３０１】
広告情報配信Ｓ５を通信部１０で受信した通信端末１の制御部９は、広告情報を広告情報格納部２０に格納し（Ｓ１１０）、広告情報配信支援装置３との接続を解除する（Ｓ１１１）。
【０３０２】
通信端末１の動作設定によるが、広告情報の配信後直ぐに閲覧を実行する設定（Ｓ１１２）となっている場合は、制御部９は、広告情報格納部２０に格納されている広告情報を出力情報管理部１８より取得し、出力制御部１１を介して表示部１３および音声出力部１４へ出力する（Ｓ１１３）。出力情報管理部１８では、通信端末１の出力制御部１１を介して再生出力が可能なように広告情報を加工するなどしても良い。
【０３０３】
また、広告情報の閲覧に関するフローチャートは説明していないが、広告情報に応じて出力制御部１１および入力制御部１２を利用して閲覧操作は可能であり、さらに、任意のタイミングで一連の操作を終了することができる（Ｓ１１４）。
【０３０４】
（第４の実施の形態）
第４の実施の形態を図１８を用いて説明する。図１８は、本発明の広告情報配信支援システムの第４の実施の形態における各装置とその処理の流れを示した概要図である。本実施の形態は、第１の実施の形態の派生モデルである。ここで、「派生モデル」とは、本ビジネスモデルが実現するサービスの内容や、その進歩性や独創性などが、第１の実施の形態と同様の効果をもたらすものとし、その効果は有効であるとする。実施の形態を区別したのは、各装置の機能分割が異なるためである。
【０３０５】
本実施の形態では、情報提供装置２が第１の実施の形態の情報提供装置２より高機能として説明している。情報提供装置２が広告接続先情報を通信端末１に替わって広告情報配信要求Ｓ３を行う機能を有する点で特徴的である。
【０３０６】
図１８を用いて、広告情報配信支援システムにおける各装置とその処理の流れを説明する。
【０３０７】
受信者は、情報提供装置２が提供する広告を視聴している。視聴している広告に興味を持った場合に、本実施の形態では、上記の装置が提供する広告情報配信支援システムを利用して視聴している広告またはその広告関連情報を入手することができる。ここでの広告または広告関連情報を広告情報とする。
【０３０８】
受信者は、視聴している広告を視聴している間、またはその広告提供終了後、任意の時間までに情報提供装置２に対して通信端末１から広告接続先情報配信要求Ｓ１を行う。
【０３０９】
次に、情報提供装置２は、広告接続先情報配信要求Ｓ１を受信後、広告提供中または広告提供終了後の任意の時間内の該当する広告を特定する。ここで、広告接続先情報のデータの形態は、広告接続先情報配信要求Ｓ１時に情報付加することで制御できる仕組みである。付加する情報としては、広告情報配信先アドレス（ＩＰアドレス、電話番号、ＭａｉｌアドレスやユーザＩＤなど）、広告情報要求日時、配信先の位置情報、同期表示属性（非同期コンテンツに同時性を持たせることが可能な機能の情報）、広告情報配信単位指定（広告インデックスリスト付き／広告情報量の選択／データの種別など）、広告制御情報（広告管理Ｎｏ．やコンポーネント数など）や認証情報（認証ＩＤと認証パスワード）などがある。
【０３１０】
次に、情報提供装置２は、広告情報配信支援装置３に広告情報配信要求Ｓ３を広告接続先情報付きで行う。その配信要求を受けた広告情報配信支援装置３は、その要求が広告接続先情報付きであることを確認した上で、広告接続先情報が有している広告接続先アドレスを基に、その広告接続先アドレスが示す広告情報配信装置４に対して広告情報配信指示Ｓ４を行う。この広告情報配信指示Ｓ４で広告情報配信装置４に引き継がれる情報としては、通信端末１への配信先アドレスなどがある。
【０３１１】
通信端末１への配信先アドレスは、広告接続先情報が有している広告情報配信先アドレスを用いる。また、広告接続先情報が有している広告識別子や情報提供装置識別子を、広告情報配信指示で広告情報配信装置４に引き継がれる情報に付加しても良い。
【０３１２】
広告情報配信指示Ｓ４を受けた広告情報配信装置４は、広告情報配信指示Ｓ４で引き渡された情報を基に通信端末１に対して指定された広告情報を配信する（広告情報配信Ｓ５）。通信端末１では、配信された広告情報の閲覧が可能となる。
【０３１３】
（第５の実施の形態）
第５の実施の形態を図１９を用いて説明する。図１９は、本発明の広告情報配信支援システムの第５の実施の形態における各装置とその処理の流れを示した概要図である。本実施の形態は、第１の実施の形態の派生モデルである。ここで、「派生モデル」とは、本ビジネスモデルが実現するサービスの内容や、その進歩性や独創性などが、第１の実施の形態と同様の効果をもたらすものとし、その効果は有効であるとする。実施の形態を区別したのは、各装置の機能分割が異なるためである。
【０３１４】
本実施の形態では、情報提供装置２が第１の実施の形態の情報提供装置２より高機能として説明している。情報提供装置２が、広告情報配信要求Ｓ３の受信および広告情報配信Ｓ５を行う機能を有する点で特徴的である。
【０３１５】
図１９を用いて、広告情報配信支援システムにおける各装置とその処理の流れを説明する。
【０３１６】
受信者は、情報提供装置２が提供する広告を視聴している。視聴している広告に興味を持った場合に、本実施の形態では、上記の装置が提供する広告情報配信支援システムを利用して視聴している広告またはその広告関連情報を入手することができる。ここでの広告または広告関連情報を広告情報とする。
【０３１７】
受信者は、視聴している広告を視聴している間、またはその広告提供終了後、任意の時間までに情報提供装置２に対して通信端末１から広告接続先情報配信要求Ｓ１を行う。
【０３１８】
次に、情報提供装置２は、広告接続先情報配信要求Ｓ１を受信後、広告提供中または広告提供終了後の任意の時間内の該当する広告を特定し、その特定した広告の広告接続先情報を通信端末１に対して配信する（広告接続先情報配信Ｓ２）。すると、通信端末１では、広告接続先情報が受信され保持される。この場合、広告接続先情報は、指定の時間によって１つに特定した実施の形態で説明しているが、特定した広告接続先情報を優先的に扱うとする１つ以上の広告接続先情報であっても良い。また、１つ以上の広告接続先情報とそれらの広告接続先情報のインデックス（広告インデックス）をまとめた広告インデックスリストを付加したものであっても良い。ここで、広告インデックスとは、特定した広告とその前後の広告を任意の個数選定し、それらの広告接続先情報の簡易情報（広告主、広告対象コード、ＵＲＬなど）を通信端末１で一覧表示による閲覧が可能な情報のことである。
【０３１９】
また、これらの広告接続先情報のデータの形態は、広告接続先情報配信要求Ｓ１時に情報付加することで制御できる仕組みである。付加する情報としては、広告情報配信先アドレス（ＩＰアドレス、電話番号、ＭａｉｌアドレスやユーザＩＤなど）、広告情報要求日時、配信先の位置情報、同期表示属性（非同期コンテンツに同時性を持たせることが可能な機能の情報）、広告情報配信単位指定（広告インデックスリスト付き／広告情報量の選択／データの種別など）、広告制御情報（広告管理Ｎｏ．やコンポーネント数など）や認証情報（認証ＩＤと認証パスワード）などがある。
【０３２０】
次に、受信者は、通信端末１に保持された広告接続先情報を閲覧する。閲覧により特定の広告接続先情報を選択し、その広告接続先情報を使用して広告情報を取得する。その取得手続きは、再度、情報提供装置２に広告情報配信要求Ｓ３を上記の一連の流れで保持された広告接続先情報付きで行う。また、保持された広告接続先情報が１つの場合は、閲覧なしの自動的な広告情報の配信要求を行っても良い。
【０３２１】
次に、情報提供装置２は、その要求が広告接続先情報付きであることを確認した上で、広告接続先情報が有している広告接続先アドレスを基に、その広告接続先アドレスが示す情報提供装置２の情報格納部に格納されている広告情報を特定する。
【０３２２】
通信端末１への配信先アドレスは、情報提供装置２が通信端末１からの配信要求を受信した時点で取得できるＩＰアドレスや電話番号などを用いるか、広告接続先情報が有している広告情報配信先アドレスを用いる。
【０３２３】
情報提供装置２は、通信端末１に対して特定した広告情報を配信する（広告情報配信Ｓ５）。通信端末１では、配信された広告情報の閲覧が可能となる。
【０３２４】
また、情報提供装置２がインターネット通信網６に接続されている場合に、情報提供装置２が有している情報格納部の少なくとも広告情報または広告接続先情報をオンラインで更新するリモートメンテナンス手段である広告／広告接続先情報更新Ｓ９を提供している。さらに、広告情報配信支援システムは、情報提供装置２で収集する広告接続先情報配信履歴を広告情報配信支援装置３が行う広告接続先情報配信履歴取得Ｓ８を提供している。
【０３２５】
（第６の実施の形態）
第６の実施の形態を図２０を用いて説明する。図２０は、本発明の広告情報配信支援システムの第６の実施の形態における各装置とその処理の流れを示した概要図である。本実施の形態は、第１の実施の形態の最小構成モデルである。ここで、「最小構成モデル」とは、本ビジネスモデルが実現するサービスは、まず、広告が示す内容を広告接続先情報として取得させ、次に、更なる情報取得に対して広告情報を取得させるシステムを提供するシステムロジックの中で提供される。この広告接続先情報の取得までをシステム構成とするのが本実施の形態である。
【０３２６】
広告接続先情報を使用して広告情報の配信を実施しない広告情報配信支援システムではあるが、第１の実施の形態で説明した進歩性や独創性などは同様の効果をもたらすものとし、その効果は有効であるとする。但し、上記でも説明したように、通信端末１からの広告接続先情報の取得要求から広告情報の取得を実現する一連の処理は、本実施の形態ではない。
【０３２７】
本実施の形態では、広告情報配信支援システムが提供する広告接続先情報の取得のみであり、広告情報の配信要求時に必要な認証行為は必要ないことから、広告情報配信支援サービス利用申請Ｓ６はあってもなくとも良い。
【０３２８】
図２０を用いて、広告情報配信支援システムにおける各装置とその処理の流れを説明する。
【０３２９】
受信者は、情報提供装置２が提供する広告を視聴している。視聴している広告に興味を持った場合に、本実施の形態では、上記の装置が提供する広告情報配信支援システムを利用して視聴している広告またはその広告関連情報を入手することができる。ここでの広告または広告関連情報を広告情報とする。
【０３３０】
受信者は、視聴している広告を視聴している間、またはその広告提供終了後、任意の時間までに情報提供装置２に対して通信端末１から広告接続先情報配信要求Ｓ１を行う。
【０３３１】
次に、情報提供装置２は、広告接続先情報配信要求Ｓ１を受信後、広告提供中または広告提供終了後の任意の時間内の該当する広告を特定し、その特定した広告の広告接続先情報を通信端末１に対して配信する（広告接続先情報配信Ｓ２）。すると、通信端末１では、広告接続先情報が受信され保持される。この場合、広告接続先情報は、指定の時間によって１つに特定した実施の形態で説明しているが、特定した広告接続先情報を優先的に扱うとする１つ以上の広告接続先情報であっても良い。また、１つ以上の広告接続先情報とそれらの広告接続先情報のインデックス（広告インデックス）をまとめた広告インデックスリストを付加したものであっても良い。ここで、広告インデックスとは、特定した広告とその前後の広告を任意の個数選定し、それらの広告接続先情報の簡易情報（広告主、広告対象コード、ＵＲＬなど）を通信端末１で一覧表示による閲覧が可能な情報のことである。
【０３３２】
また、これらの広告接続先情報のデータの形態は、広告接続先情報配信要求Ｓ１時に情報付加することで制御できる仕組みである。付加する情報としては、広告情報配信先アドレス（ＩＰアドレス、電話番号、ＭａｉｌアドレスやユーザＩＤなど）、広告情報要求日時、配信先の位置情報、同期表示属性（非同期コンテンツに同時性を持たせることが可能な機能の情報）、広告情報配信単位指定（広告インデックスリスト付き／広告情報量の選択／データの種別など）、広告制御情報（広告管理Ｎｏ．やコンポーネント数など）や認証情報（認証ＩＤと認証パスワード）などがある。
【０３３３】
次に、受信者は、通信端末１に保持された広告接続先情報を閲覧する。閲覧により特定の広告接続先情報を選択できる。これまでに説明したように、広告接続先情報には、広告接続先アドレスを有している。その広告接続先アドレスを使用して、通信端末１からＵＲＬ指定の接続方法で直接的に広告情報の配信指定を行う。
【０３３４】
また、ＵＲＬ指定において、広告接続先アドレス以外に広告接続先情報が有している広告識別子や情報提供装置識別子を付加した配信指定でも良い。例えば、「ＷＷＷ：／／広告接続先アドレス／情報提供装置識別子／広告識別子」などの記述で実現するＵＲＬ指定である。
【０３３５】
通信端末１では、ＵＲＬが指す広告情報配信装置４から広告情報の配信を受ける（広告情報配信Ｓ５）。
【０３３６】
また、広告情報配信装置４で収集する広告情報配信履歴を広告情報配信支援装置３が行う広告情報配信履歴取得Ｓ７はあっても良い。
【０３３７】
（第７の実施の形態）
第７の実施の形態を、図２１から図２４を用いて説明する。図２１は、本発明の広告情報配信支援システムの第７の実施の形態における各装置とその処理の流れを示した概要図である。図２２は、図２１で説明した同期情報を模式的に示す図である。図２３は、図２２で説明した同期情報を用いての通信端末での同期処理を説明するための図である。図２４は、図２１の広告情報配信支援システムの動作説明に用いるフローチャートである。
【０３３８】
本実施の形態は、第１から第５の実施の形態に全て有効である。これらの実施の形態で最終的に配信される広告情報は、コンテンツと位置付けて良い。このコンテンツには、その特性から同期コンテンツと非同期コンテンツの２つに分類できる。
【０３３９】
同期コンテンツとは、ライブ中継に代表されるようなコンテンツであり、指定時刻に同時に複数のユーザが（指定時刻に同時に複数の通信端末で）視聴することを目的としたコンテンツのことである。例えば、同期コンテンツの代表的な形態の一つには、アナログ放送がある。また、アナログ放送から派生する既存のデジタル放送も、コンテンツのデジタル化やチャンネルが割り当てられている周波数帯の使用効率を目的とする場合などは、それらのコンテンツは全て同期コンテンツに含まれると位置付ける。上記で説明した同期コンテンツ以外を全て非同期コンテンツとする。
【０３４０】
本実施の形態は、その非同期コンテンツを視聴している受信者に対して、ある一定時間であっても通信端末１と情報提供装置２との間で、本実施の形態が提供する同期情報を基に同期させる手段を提供することにある。すなわち、非同期コンテンツを同期コンテンツとして視聴できるサービスを実現するものである。
【０３４１】
なお、通信端末１は、第１から第５の実施の形態で説明した一連の操作で広告情報を受信する。その広告情報が、情報提供装置２で視聴している広告情報であることを前提としている。その前提において、通信端末１と情報提供装置２との間で広告情報を同期閲覧することができる仕組みを提供するものである。
【０３４２】
その実現においては、情報提供装置２または広告情報配信支援装置３に同期ポイントまたはタイムテーブルを含む広告出力に関する同期情報と、その同期情報を通信端末１で取得を可能とする機能と、通信端末１で同期情報として取得した同期情報を基に広告情報を再生する機能が必要である。
【０３４３】
図２１を用いて、その非同期コンテンツの同期閲覧を可能とする実現方法（同期情報取得手段）を説明する。その実現方法は、同期情報の取得方法によって２つに分類する。
▲１▼　通信端末１に広告情報を受信するのと同時に同期情報を取得する方法。
▲２▼　通信端末１で広告情報の受信後、情報提供装置２または広告情報配信支援装置３に対して、同期情報の配信要求を行い取得する方法。
【０３４４】
まず、▲１▼について説明する。▲１▼の方法は、通信端末１が情報提供装置２または広告情報配信支援装置３に広告接続先情報配信要求を行う際に指定できる属性情報の１つである同期表示属性を有効とする設定で指定できる。この同期表示属性の指定は広告情報配信要求にも引き継がれ、最終的に通信端末１での広告情報と情報提供装置２の同期情報の受信となる。
【０３４５】
第１の実施の形態では、情報提供装置２の同期情報は、情報提供装置２および広告情報配信支援装置３の何れか一方で管理されている。同期表示属性を有効とする広告情報配信要求Ｓ３を受けた広告情報配信支援装置３は、情報提供装置識別子が示す情報提供装置２の同期情報を保持している場合は、その同期情報付きで広告情報配信装置４に対して広告情報配信指示Ｓ４を行う。また、情報提供装置識別子が示す情報提供装置２の同期情報を保持していない場合でも、情報提供装置２とインターネット通信網６によって接続が可能な条件で同期情報の取得要求を行い、情報提供装置２からその同期情報を取得し、同様に広告情報配信装置４に対して広告情報配信指示Ｓ４を行う。
【０３４６】
広告情報配信指示Ｓ４を受けた広告情報配信装置４では、指定された広告情報とその同期情報を共に通信端末１へ配信する（広告情報配信Ｓ５）。
【０３４７】
第２の実施の形態および第３の実施の形態では、情報提供装置２の同期情報は、広告情報配信支援装置３で管理されている。同期表示属性を有効とする広告情報配信要求Ｓ３を受けた広告情報配信支援装置３は、情報提供装置識別子が示す情報提供装置２の同期情報を保持している場合は、その同期情報付きで広告情報配信装置４に対して広告情報配信指示Ｓ４を行う。
【０３４８】
広告情報配信指示Ｓ４を受けた広告情報配信装置４では、指定された広告情報とその同期情報を共に通信端末１へ配信する（広告情報配信Ｓ５）。
【０３４９】
第４の実施の形態では、情報提供装置２の同期情報は、情報提供装置２および広告情報配信支援装置３の何れか一方で管理されている。同期表示属性を有効とする広告情報配信要求Ｓ３を受けた広告情報配信支援装置３は、情報提供装置識別子が示す情報提供装置２の同期情報を保持している場合は、その同期情報付きで広告情報配信装置４に対して広告情報配信指示Ｓ４を行う。また、情報提供装置識別子が示す情報提供装置２の同期情報を保持していない場合は、情報提供装置２に同期情報の取得要求を行い、情報提供装置２からその同期情報を取得し、同様に広告情報配信装置４に対して広告情報配信指示Ｓ４を行う。
【０３５０】
またこの場合、情報提供装置２に同期情報を有している条件で、情報提供装置２からの広告情報配信要求Ｓ３をその同期情報付きで配信要求しても良い。
【０３５１】
広告情報配信指示を受けた広告情報配信装置４では、指定された広告情報とその同期情報を共に通信端末１へ配信する（広告情報配信Ｓ５）。
【０３５２】
第５の実施の形態では、情報提供装置２の同期情報は、情報提供装置２および広告情報配信支援装置３の何れか一方で管理されている。同期表示属性を有効とする広告情報配信要求Ｓ３を受けた情報提供装置２は、同期情報を保持している場合は、指定された広告情報とその同期情報を共に通信端末１へ配信する（広告情報配信Ｓ５）。
【０３５３】
情報提供装置２ではなく広告情報配信支援装置３で同期情報を保持している場合は、情報提供装置２は広告情報配信支援装置３から同期情報を取得し指定された広告情報とその同期情報を共に通信端末１へ配信する（広告情報配信Ｓ５）。
【０３５４】
次に▲２▼について説明する。▲２▼の方法は、通信端末１が広告情報の配信後に、情報提供装置２または広告情報配信支援装置３に対して同期情報の配信要求を行い（広告情報提供タイムテーブル取得要求Ｓ１６または広告情報提供タイムテーブル取得要求Ｓ１２）、最終的に通信端末１での情報提供装置２の同期情報の受信となる（広告情報提供タイムテーブル配信Ｓ１７または広告情報提供タイムテーブル配信Ｓ１３）。
【０３５５】
第１の実施の形態では、情報提供装置２の同期情報は、情報提供装置２および広告情報配信支援装置３の何れか一方で管理されている。通信端末１から同期情報取得要求（広告情報提供タイムテーブル取得要求Ｓ１２）を受けた広告情報配信支援装置３は、その同期情報取得要求（広告情報提供タイムテーブル取得要求Ｓ１２）が有している情報提供装置識別子が示す情報提供装置２の同期情報を保持している場合は、その同期情報を通信端末１へ配信する（広告情報提供タイムテーブル配信１３）。ここで、「同期情報取得要求」には、情報提供装置識別子以外に、同期情報配信先アドレス（ＩＰアドレス、電話番号、ＭａｉｌアドレスやユーザＩＤなど）、同期情報要求日時や認証情報（認証ＩＤと認証パスワード）などがある。
【０３５６】
また、指定された情報提供装置識別子が示す情報提供装置２の同期情報を保持していない場合でも、情報提供装置２とインターネット通信網６によって接続が可能な条件で同期情報の取得要求（情報提供装置提供タイムテーブル取得要求Ｓ１４）を行い、情報提供装置２からその同期情報を取得（情報提供装置提供タイムテーブル配信Ｓ１５）し、同様に通信端末１へ配信する（広告情報提供タイムテーブル配信１３）。
【０３５７】
ここでは、通信端末１から同期情報取得要求（広告情報提供タイムテーブル取得要求Ｓ１２）を広告情報配信支援装置３へ送信するとしているが、情報提供装置２へ同期情報取得要求（広告情報提供タイムテーブル取得要求Ｓ１６）を行い、情報提供装置２から同期情報を配信する（広告情報提供タイムテーブル配信１７）としても良い。
【０３５８】
さらに、情報提供装置２ではなく広告情報配信支援装置３で同期情報を保持している場合は、通信端末１から同期情報取得要求（広告情報提供タイムテーブル取得要求Ｓ１６）を受信した情報提供装置２は、広告情報配信支援装置３から指定された同期情報を取得し通信端末１へ配信（広告情報提供タイムテーブル配信１７）としても良い。
【０３５９】
第２の実施の形態では、情報提供装置２の同期情報は、情報提供装置２および広告情報配信支援装置３の何れか一方で管理されている。通信端末１から同期情報取得要求（広告情報提供タイムテーブル取得要求Ｓ１２）を受けた広告情報配信支援装置３は、その同期情報取得要求（広告情報提供タイムテーブル取得要求Ｓ１２）が有している情報提供装置識別子が示す情報提供装置２の同期情報を保持している場合は、その同期情報を通信端末１へ配信する（広告情報提供タイムテーブル配信１３）。
【０３６０】
また、指定された情報提供装置識別子が示す情報提供装置２の同期情報を保持していない場合でも、情報提供装置２とインターネット通信網６によって接続が可能な条件で同期情報の取得要求（情報提供装置提供タイムテーブル取得要求Ｓ１４）を行い、情報提供装置２からその同期情報を取得（情報提供装置提供タイムテーブル配信Ｓ１５）し、同様に通信端末１へ配信する（広告情報提供タイムテーブル配信１３）。
【０３６１】
第３の実施の形態では、情報提供装置２の同期情報は、情報提供装置２および広告情報配信支援装置３の何れか一方で管理されている。通信端末１から同期情報取得要求（広告情報提供タイムテーブル取得要求Ｓ１２）を受けた広告情報配信支援装置３は、その同期情報取得要求（広告情報提供タイムテーブル取得要求Ｓ１２）が有している情報提供装置識別子が示す情報提供装置２の同期情報を保持している場合は、その同期情報を通信端末１へ配信する（広告情報提供タイムテーブル配信１３）。
【０３６２】
また、指定された情報提供装置識別子が示す情報提供装置２の同期情報を保持していない場合でも、情報提供装置２とインターネット通信網６によって接続が可能な条件で同期情報の取得要求（情報提供装置提供タイムテーブル取得要求Ｓ１４）を行い、情報提供装置２からその同期情報を取得（情報提供装置提供タイムテーブル配信Ｓ１５）し、同様に通信端末１へ配信する（広告情報提供タイムテーブル配信１３）。
【０３６３】
第４の実施の形態では、情報提供装置２の同期情報は、情報提供装置２および広告情報配信支援装置３の何れか一方で管理されている。通信端末１から同期情報取得要求（広告情報提供タイムテーブル取得要求Ｓ１２）を受けた広告情報配信支援装置３は、その同期情報取得要求（広告情報提供タイムテーブル取得要求Ｓ１２）が有している情報提供装置識別子が示す情報提供装置２の同期情報を保持している場合は、その同期情報を通信端末１へ配信する（広告情報提供タイムテーブル配信１３）。
【０３６４】
また、指定された情報提供装置識別子が示す情報提供装置２の同期情報を保持していない場合でも、情報提供装置２とインターネット通信網６によって接続が可能な条件で同期情報の取得要求（情報提供装置提供タイムテーブル取得要求Ｓ１４）を行い、情報提供装置２からその同期情報を取得（情報提供装置提供タイムテーブル配信Ｓ１５）し、同様に通信端末１へ配信する（広告情報提供タイムテーブル配信１３）。
【０３６５】
ここでは、通信端末１から同期情報取得要求（広告情報提供タイムテーブル取得要求Ｓ１２）を広告情報配信支援装置３へ送信するとしているが、情報提供装置２へ同期情報取得要求（広告情報提供タイムテーブル取得要求Ｓ１６）を行い、情報提供装置２から同期情報を配信する（広告情報提供タイムテーブル配信１７）としても良い。
【０３６６】
さらに、情報提供装置２ではなく広告情報配信支援装置３で同期情報を保持している場合は、通信端末１から同期情報取得要求（広告情報提供タイムテーブル取得要求Ｓ１６）を受信した情報提供装置２は、広告情報配信支援装置３から指定された同期情報を取得し通信端末１へ配信（広告情報提供タイムテーブル配信１７）としても良い。
【０３６７】
第５の実施の形態では、情報提供装置２の同期情報は、情報提供装置２および広告情報配信支援装置３の何れか一方で管理されている。通信端末１から同期情報取得要求（広告情報提供タイムテーブル取得要求Ｓ１２）を受けた広告情報配信支援装置３は、その同期情報取得要求（広告情報提供タイムテーブル取得要求Ｓ１２）が有している情報提供装置識別子が示す情報提供装置２の同期情報を保持している場合は、その同期情報を通信端末１へ配信する（広告情報提供タイムテーブル配信１３）。
【０３６８】
また、指定された情報提供装置識別子が示す情報提供装置２の同期情報を保持していない場合でも、情報提供装置２とインターネット通信網６によって接続が可能な条件で同期情報の取得要求（情報提供装置提供タイムテーブル取得要求Ｓ１４）を行い、情報提供装置２からその同期情報を取得（情報提供装置提供タイムテーブル配信Ｓ１５）し、同様に通信端末１へ配信する（広告情報提供タイムテーブル配信１３）。
【０３６９】
ここでは、通信端末１から同期情報取得要求（広告情報提供タイムテーブル取得要求Ｓ１２）を広告情報配信支援装置３へ送信するとしているが、情報提供装置２へ同期情報取得要求（広告情報提供タイムテーブル取得要求Ｓ１６）を行い、情報提供装置２から同期情報を配信する（広告情報提供タイムテーブル配信１７）としても良い。
【０３７０】
図２２を用いて、図２１で説明した同期情報を説明する。
【０３７１】
本実施の形態での広告情報は、１つ以上の広告を有する任意の時間で構成されたものとする。また、広告情報は、情報提供装置２を介して視聴ができたり、広告接続先情報によって広告情報配信装置４から取得し、通信端末１にて閲覧が可能なものである。
【０３７２】
その広告情報に対して、その広告情報の各広告の再生開始時間（再生開始日時）などを記した再生タイムテーブルを有したものを同期情報とする。ここでは、「同期情報」は、広告情報：同期情報＝１：１として説明する。なお、情報提供装置２が提供する広告および広告情報の全ての再生タイムテーブルを有する同期情報、すなわち、広告情報：同期情報＝ｎ：１としても良い。
【０３７３】
図２２の（Ａ）は、同期情報の簡易タイプである。この簡易版は、データ送信量およびデータ送信速度が良くない通信手段を用いる通信端末１に対して同期情報を送信する場合に適応する。図２２の（Ｂ）は、同期情報の通常タイプである。通常タイプの場合、広告情報を再生する通信端末１では、そのまま再生タイムテーブルとして使用できるため、同期情報を受信した直後から広告情報の同期再生が可能である。
【０３７４】
まず、図２２の（Ａ）の同期情報の簡易タイプについて説明する。同期情報は、広告情報提供タイムテーブルヘッダー９０と、広告情報提供タイムテーブル９９とから構成されている。
【０３７５】
広告情報提供タイムテーブルヘッダー９０は、少なくとも広告情報の題名である広告情報題名９３と、その広告情報の管理コードである広告情報コード９５と、その管理コードのバージョン情報である広告情報バージョン９６とから構成されている。
【０３７６】
また、広告を提供している情報提供装置２の名称である情報提供装置名９１と、その管理コードである情報提供装置コード９２と、広告情報バージョン９６が作成された広告情報作成日９７と、広告情報バージョン９６に関するコメントを記述できる特記事項９８と、その広告情報の配信元である広告情報配信装置４を特定する広告接続先アドレスである広告情報提供先ＵＲＬ９４とがあっても良い。
【０３７７】
広告情報提供タイムテーブル９９は、各広告の情報提供装置２での提供時間を設定する提供開始時間１００と、それぞれの広告の所要時間を設定する標準所要時間１０１と、それぞれの広告の管理コードである広告対象コード１０３と、それらの広告対象コード１０３を関連付けている広告インデックス１０２とから構成されている。ここで、「広告情報提供タイムテーブル９９」は、各広告の情報提供装置２での提供時間を設定する提供開始時間１００としたが、１つの広告をｎ分割し、それぞれｎ分割したものを提供開始時間１００に開始時間として設定した１つ以上の広告からなる広告情報提供タイムテーブル９９としても良い。
【０３７８】
次に、図２２の（Ｂ）の同期情報の通常タイプについて説明する。通常タイプは、簡易タイプの構成に加えて、広告情報提供タイムテーブル９９の広告インデックス１０２に、各広告対象コード１０３の広告に関する関連情報提供先とするＵＲＬ１０４と、各広告対象コード１０３の広告主に関する関連情報提供先とするＵＲＬ１０６とから構成されている。
【０３７９】
図２３を用いて、図２２で説明した同期情報を用いての通信端末での同期処理を説明する。
【０３８０】
同期情報を受信した通信端末１は、同期情報格納部１９に格納する。ここでは、簡易タイプの同期情報を受信したとして説明する。
【０３８１】
制御部９は、上記までに説明した同期情報取得手段により取得した同期情報を取得する。また、取得した同期情報に関連する広告情報は、広告情報格納部２０に格納されている。同期処理が可能な広告情報は、少なくとも広告情報の管理コードである広告情報コード１１６と、その管理コードのバージョン情報である広告情報バージョン１１７と、それぞれの広告の管理コードである広告対象コード１１８と、それぞれの広告（広告データ）である実行ファイル名１１９とを備えている。
【０３８２】
次に、制御部９は、出力情報管理部１８に閲覧を開始する広告の実行テーブルを少なくとも１つ以上作成するように指示する。実行テーブルは、少なくともＮＯＷ１１０と、ＮＥＸＴ１１３とから構成され、それぞれは管理情報として、少なくとも提供開始時間と、実行ファイル名とを格納するように構成されている。
【０３８３】
例えば、閲覧を開始する開始時間が「１５：００：００」で、閲覧する広告情報が、広告情報コードが「ＶＥＲ０９３０」、広告情報バージョンが「ＶＥＲ０Ｘ０５１５」とする。この場合、ＮＯＷ１１０の提供開始時間１１１には、同期情報格納部１９に格納されている広告対象コード１０３が「Ｓパソコン」の提供開始時間１００である「１５：００：００」が設定される。また、実行ファイル名１１２には、広告情報格納部２０に格納されている広告対象コード１０３が「Ｓパソコン」の実行ファイル名１１９である「ｓｐｃ．ｍｐｅｇ４」が設定される。
【０３８４】
次に、ＮＥＸＴ１１３の提供開始時間１１４には、同期情報格納部１９に格納されている広告対象コード１０３が「Ｂ化粧品」の提供開始時間１００である「１５：００：３０」が設定される。また、実行ファイル名１１５には、広告情報格納部２０に格納されている広告対象コード１０３が「Ｂ化粧品」の実行ファイル名１１９である「ｂｏｉｌ．ｍｐｅｇ４」が設定される。
【０３８５】
制御部９は、出力情報管理部１８で作成された実行テーブルを基に、該当する広告の再生を開始する。
【０３８６】
ＮＯＷ１１１の再生が開始され、その再生が終了したタイミングでＮＥＸＴ１１３に設定された情報をＮＯＷ１１１とし、新たなＮＥＸＴ１１３が広告情報と同期情報から作成される（上記の例を用いると、ＮＥＸＴ１１３の提供開始時間１１４には、同期情報格納部１９に格納されている広告対象コード１０３が「Ｃ自動車」の提供開始時間１００である「１５：０１：３０」となり、実行ファイル名１１５には、広告情報格納部２０に格納されている広告対象コード１０３が「Ｃ自動車」の実行ファイル名１１９である「ｃｂｏｘ．ｍｐｅｇ４」となる）。
【０３８７】
また、制御部９は、標準時間保持部２１より取得できる標準時間を用いて、次の広告の提供開始時間１１４で設定された時間となった場合に、再生中の広告を強制終了し、そのタイミングでＮＥＸＴ１１３に設定された情報をＮＯＷ１１１とし、新しい提供開始時間１１１に従って再生する。
【０３８８】
本実施の形態で示す同期情報取得手段を用いて情報提供装置２と一致する同期情報が取得できれば、その同期情報が有している提供開始時間１００を用いて、任意の時間（期間）であっても情報提供装置２で視聴できる内容と通信端末１で閲覧する内容が同時に展開することができる。これは、非同期コンテンツを同期コンテンツであるかのように閲覧が可能となることを意味する。このサービスの利点は、例えば、音を情報提供装置２で提供することができない場合（例えば、法令により街頭での音声出力量が制限されている場合）などに、受信者は本サービスを利用して通信端末１から音声を聞くことができる。
【０３８９】
また、この機能に加えて、時間合わせ機能を通信端末１（標準時間受信部２２および標準時間保持部２１）および情報提供装置２（図２で示す標準時間受信部３７および標準時間保持部３６）が有することにより、標準時間を用いて内部管理している時刻情報の調整（時刻補正）を行うことで、より長い時間の同期処理が実現できる（「標準時間による時刻合わせの機能」）。これは、通信端末１および情報提供装置２の各装置のハードウエア性能の違いによる、ある任意の時間（期間）までは同期しているように閲覧が可能であるが、その時間（期間）を過ぎると、視聴内容と閲覧内容とズレが発生することを是正する機能である。
【０３９０】
さらに、精度ある同期処理を実現するには、「標準時間による時刻合わせの機能」以外に、「一定の周期で閲覧ポイントを合わせる同期取り機能」が必要になる。この「一定の周期で閲覧ポイントを合わせる同期取り機能」は、提供開始時間１００を用いて開始した広告の再生中に、情報提供装置２と通信端末１との間で同期信号を情報提供装置２から定期的に送信し、その信号を受信した通信端末１では、その信号を用いて再生中にその広告の再生ポイントを補正する機能である。ここで、「一定の周期で閲覧ポイントを合わせる同期取り機能」は、同期信号が必要であるとしているが、標準時間を用いて、再生中の広告の再生ポイントを補正するようにしても良い。
【０３９１】
本実施の形態では、少なくとも「標準時間による時刻合わせの機能」を実現する標準時間受信部２２および標準時間保持部２１を有している通信端末１と、標準時間受信部３７および標準時間保持部３６を有している情報提供装置２であることを前提とする。
【０３９２】
また、「一定の周期で閲覧ポイントを合わせる同期取り機能」を実現する同期信号管理部を有している場合は、通信端末１と情報提供装置２との間では、非同期コンテンツであっても同期コンテンツと同等な閲覧が可能となる。
【０３９３】
本実施の形態が示す最大の利点は、非同期コンテンツであっても同期コンテンツのような視聴方法を提供できることから、本当に同期コンテンツとしての配信が必要なコンテンツと、その必要がないものとの区別ができることにある。
【０３９４】
本機能が提供するサービスの応用例としては、例えば、規定のデジタル帯域に複数のチャンネルを配置するデジタル放送方法から、規定のデジタル帯域に複数のチャンネルを配置し、さらに、その複数のチャンネル１つ１つは、複数のコンテンツをタイムシェアリングさせながら配信する新しいデジタル放送方法を可能とするなどがある。それを支えるのは、通信端末１に配信する同期情報である。受信する通信端末１では、同期情報を基に再生するために、同期コンテンツを閲覧しているように視聴できる。
【０３９５】
図２４を用いて、図２１で説明した一連の流れを通信端末１での操作の流れで説明する。また、図２と、図２３とで示した装置部とその構成を用いて説明する。
【０３９６】
通信端末１の広告情報格納部２０で格納されている広告情報の再生を、図２の操作部１５の任意の操作ボタンまたは表示画面上のボタンなどを押下することにより実行する（Ｓ１４０）。操作部１５からの信号は、入力制御部１２で検出し制御部９へ選択信号として解釈される。
【０３９７】
制御部９は、広告情報格納部２０で格納されている広告情報が同期コンテンツである場合（Ｓ１４１）は、広告情報配信装置４への接続を行い、最新の同期コンテンツの配信を受ける（Ｓ１５２）。広告情報は、制御部９を介して出力制御部１１より閲覧表示される。その後、任意のタイミングで広告閲覧を終了する（Ｓ１５４）。
【０３９８】
制御部９は、広告情報格納部２０で格納されている広告情報が非同期コンテンツである場合（Ｓ１４１）は、出力制御部１１を介して、同期表示を行うかどうかを表示部１３に表示する（Ｓ１４２）。
【０３９９】
同期表示を行わない場合は、広告情報を再生する（Ｓ１５３）。広告情報は、制御部９を介して出力制御部１１より閲覧表示される。その後、任意のタイミングで広告閲覧を終了する（Ｓ１５４）。
【０４００】
同期表示を行う場合は、同期情報格納部１９に再生する広告情報の同期情報（広告情報提供タイムテーブルヘッダー９０および広告情報提供タイムテーブル９９）があることを確認する（Ｓ１４３）。同期情報が無い場合は、広告情報配信支援装置３に対して、図２１で説明した▲２▼の「通信端末１で広告情報の受信後、情報提供装置２または広告情報配信支援装置３に対して、同期情報の配信要求を行い取得する方法。」を用いて、同期情報（広告情報提供タイムテーブルヘッダー９０および広告情報提供タイムテーブル９９）を取得する（Ｓ１４４）。
【０４０１】
次に、制御部９は、標準時間受信部２２および標準時間保持部２１を利用して内部で管理している時間の補正を行う（Ｓ１４５）。
【０４０２】
標準時間により補正された時刻を基に、制御部９は、出力情報管理部１８へ広告情報の同期処理を実現する実行テーブルの作成を指示する（Ｓ１４６）。具体的に図２３を用いて説明すると、例えば、閲覧を開始する開始時間が「１５：００：００」で、閲覧する広告情報が、広告情報コードが「ＶＥＲ０９３０」、広告情報バージョンが「ＶＥＲ０Ｘ０５１５」とする。この場合、ＮＯＷ１１０の提供開始時間１１１には、同期情報格納部１９に格納されている広告対象コード１０３が「Ｓパソコン」の提供開始時間１００である「１５：００：００」が設定される。また、実行ファイル名１１２には、広告情報格納部２０に格納されている広告対象コード１０３が「Ｓパソコン」の実行ファイル名１１９である「ｓｐｃ．ｍｐｅｇ４」が設定される。
【０４０３】
次に、ＮＥＸＴ１１３の提供開始時間１１４には、同期情報格納部１９に格納されている広告対象コード１０３が「Ｂ化粧品」の提供開始時間１００である「１５：００：３０」が設定される。また、実行ファイル名１１５には、広告情報格納部２０に格納されている広告対象コード１０３が「Ｂ化粧品」の実行ファイル名１１９である「ｂｏｉｌ．ｍｐｅｇ４」が設定される。
【０４０４】
制御部９は、出力情報管理部１８で作成された実行テーブルを基に、該当する広告の再生を開始する。
【０４０５】
ＮＯＷ１１１の再生が開始され、その再生が終了したタイミングでＮＥＸＴ１１３に設定された情報をＮＯＷ１１１とし、新たなＮＥＸＴ１１３が広告情報と同期情報から作成される（上記の例を用いると、ＮＥＸＴ１１３の提供開始時間１１４には、同期情報格納部１９に格納されている広告対象コード１０３が「Ｃ自動車」の提供開始時間１００である「１５：０１：３０」となり、実行ファイル名１１５には、広告情報格納部２０に格納されている広告対象コード１０３が「Ｃ自動車」の実行ファイル名１１９である「ｃｂｏｘ．ｍｐｅｇ４」となる）。
【０４０６】
また、制御部９は、標準時間保持部２１より取得できる標準時間を用いて、次の広告の提供開始時間１１４（Ｓ１４７）で設定された時間となった場合（Ｓ１４８）に、再生中の広告を強制終了（Ｓ１４９）し、そのタイミングでＮＥＸＴ１１３に設定された情報をＮＯＷ１１１とし、新しい提供開始時間１１１に従って再生する（Ｓ１５０）。
【０４０７】
広告情報は、制御部９を介して出力制御部１１より閲覧表示される。その後、任意のタイミングで広告閲覧を終了する（Ｓ１５１）。
【０４０８】
【発明の効果】
本発明は、上記の課題に鑑みてなされたものであり、広告媒体で提供している広告や、広告媒体で放映している広告を、簡単な操作により携帯電話などの情報端末に広告情報として配信する仕組みを提供することにある。また、広告情報配信履歴などを記録し、その広告媒体の客観的評価情報として、その広告媒体が有している場所の特徴や広告時間に応じた購買者層の情報などを公開する。更に、それらの情報を基に、広告媒体の市場価値を査定し、広告媒体の客観的な料金表を作成し、広告主が求める広告効率と広告効果の両方を満たす仕組みを提供することにある。
【図面の簡単な説明】
【図１】本発明の広告情報配信支援システムの第１の実施の形態の全体を示したブロック図である。
【図２】図１の広告情報配信支援システムにおける通信端末１と情報提供装置２の構成の一例のブロック図である。
【図３】図１の広告情報配信支援システムにおける広告情報配信支援装置３の構成の一例のブロック図である。
【図４】図１の広告情報配信支援システムにおける広告情報配信支援装置３と広告情報配信装置４と通信端末１の構成の一例のブロック図である。
【図５】図１の広告情報配信支援システムにおける各装置とその処理の流れを示した概要図である。
【図６】図１の広告情報配信支援システムの動作説明に用いるフォローチャートである。
【図７】本発明の一実施形態の説明に用いる表示画面の外観図である。
【図８】本発明の広告情報配信支援システムの第２の実施の形態の全体を示したブロック図である。
【図９】図８の広告情報配信支援システムにおける通信端末１と広告情報配信支援装置３と位置情報取得装置７の構成の一例のブロック図である。
【図１０】図８の広告情報配信支援システムにおける位置情報サービスにより取得した通信端末１の位置情報より情報提供装置２を特定することを特徴とした広告情報配信支援システムの各装置とその処理の流れを示した概要図である。
【図１１】図８の広告情報配信支援システムの動作説明に用いるフォローチャートである。
【図１２】図１１のＢ１に関するフォローチャートである。
【図１３】本発明の広告情報配信支援装置内のロジック：Ｄ１に関するフォローチャートである。
【図１４】本発明の広告情報配信支援システムの第３の実施の形態の全体を示したブロック図である。
【図１５】図１４の広告情報配信支援システムにおける通信端末１と広告情報配信支援装置３の構成の一例のブロック図である。
【図１６】図１４の広告情報配信支援システムにおける通信端末１で取得できる位置情報で情報提供装置２を特定することを特徴とする各装置とその処理の流れを示した概要図である。
【図１７】図１４の広告情報配信支援システムの動作説明に用いるフォローチャートである。
【図１８】本発明の広告情報配信支援システムの第４の実施の形態における各装置とその処理の流れを示した概要図である。
【図１９】本発明の広告情報配信支援システムの第５の実施の形態における各装置とその処理の流れを示した概要図である。
【図２０】本発明の広告情報配信支援システムの第６の実施の形態における各装置とその処理の流れを示した概要図である。
【図２１】本発明の広告情報配信支援システムの第７の実施の形態における各装置とその処理の流れを示した概要図である。
【図２２】図２１で説明した同期情報を模式的に示す図である。
【図２３】図２２で説明した同期情報を用いての通信端末での同期処理を説明するための図である。
【図２４】図２１の広告情報配信支援システムの動作説明に用いるフォローチャートである。
【符号の説明】
１　　　通信端末
２　　　情報提供装置
３　　　広告情報配信支援装置
４　　　広告情報配信装置
５　　　基地局
６　　　インターネット通信網
７　　　位置情報取得装置
８　　　赤外線通信部（情報端末）
１０　　通信部（情報端末）
１３　　表示部（情報端末）
２７　　ＴＶモニタ（情報提供装置）
Ｓ１　　広告接続先情報配信要求
Ｓ２　　広告接続先情報配信
Ｓ３　　広告情報配信要求
Ｓ４　　広告情報配信指示
Ｓ５　　広告情報配信
Ｓ６　　広告情報配信支援サービス利用申請
Ｓ７　　広告情報配信履歴取得
Ｓ８　　広告接続先情報配信履歴取得
Ｓ９　　広告／広告接続先情報更新
Ｓ１０　位置情報取得要求
Ｓ１１　位置情報取得
Ｓ１２　広告情報提供タイムテーブル取得要求（広告情報配信支援装置）
Ｓ１３　広告情報提供タイムテーブル配信（広告情報配信支援装置）
Ｓ１４　情報提供装置提供タイムテーブル取得要求
Ｓ１５　情報提供装置提供タイムテーブル配信
Ｓ１６　広告情報提供タイムテーブル取得要求（情報提供装置）
Ｓ１７　広告情報提供タイムテーブル配信（情報提供装置）
【図１】
2004077863.tif 000003
【図２】
2004077863.tif 000004
【図３】
2004077863.tif 000005
【図４】
2004077863.tif 000006
【図５】
2004077863.tif 000007
【図６】
2004077863.tif 000008
【図７】
2004077863.tif 000009
【図８】
2004077863.tif 000010
【図９】
2004077863.tif 000011
【図１０】
2004077863.tif 000012
【図１１】
2004077863.tif 000013
【図１２】
2004077863.tif 000014
【図１３】
2004077863.tif 000015
【図１４】
2004077863.tif 000016
【図１５】
2004077863.tif 000017
【図１６】
2004077863.tif 000018
【図１７】
2004077863.tif 000019
【図１８】
2004077863.tif 000020
【図１９】
2004077863.tif 000021
【図２０】
2004077863.tif 000022
【図２１】
2004077863.tif 000023
【図２２】
2004077863.tif 000024
【図２３】
2004077863.tif 000025
【図２４】
2004077863.tif 000026